(57)【特許請求の範囲】
【請求項１】
複数の外部接続機器と通信可能であり、オーディオ信号を前記外部接続機器に送信するオーディオ信号送信装置であって、
前記オーディオ信号を外部へ出力する外部出力部と、
通信可能な状態にある前記外部接続機器に前記オーディオ信号を複数のチャンネルを介して送信するオーディオ信号送信部と、
前記オーディオ信号を受信した少なくとも１の前記外部接続機器から、ヘッドフォンにより前記オーディオ信号を出力するヘッドフォン機能が有効であることを示すヘッドフォン情報を受信した場合に、前記外部出力部による出力を停止させるように制御する音声出力制御部と、
前記少なくとも１の外部接続機器から前記ヘッドフォン情報を受信した場合に、前記複数のチャンネルのそれぞれで送信している前記オーディオ信号の種別を表すチャンネルマッピング情報を、前記ヘッドフォン機能が有効な前記外部接続機器が出力可能な前記オーディオ信号の種別を含む情報に変更するチャンネルマッピング情報生成部と、
を備える、オーディオ信号送信装置。
【請求項２】
前記音声出力制御部は、さらに、前記少なくとも１の外部接続機器が受信した前記オーディオ信号の外部出力を停止させるように制御する、請求項１に記載のオーディオ信号送信装置。
【請求項３】
前記音声出力制御部は、前記少なくとも１の外部接続機器以外の他の前記外部接続機器が通信可能な状態にある場合に、前記他の外部接続機器が受信した前記オーディオ信号の外部出力を停止させるように制御する、請求項２に記載のオーディオ信号送信装置。
【請求項４】
前記チャンネルマッピング情報生成部により変更された前記チャンネルマッピング情報を、少なくとも前記ヘッドフォン情報を送信した前記外部接続機器に提供するチャンネルマッピング情報提供部をさらに備える、請求項１に記載のオーディオ信号送信装置。
【請求項５】
前記音声出力制御部は、前記チャンネルマッピング情報提供部から、前記変更後の前記チャンネルマッピング情報を取得した前記外部接続機器に対して、当該外部接続機器が受信した前記オーディオ信号の外部出力を停止させるように制御する、請求項４に記載のオーディオ信号送信装置。
【請求項６】
前記音声出力制御部は、前記チャンネルマッピング情報提供部から、前記変更後の前記チャンネルマッピング情報を取得していない前記外部接続機器に対して、当該外部接続機器が受信した前記オーディオ信号の外部出力を維持させるように制御する、請求項５に記載のオーディオ信号送信装置。
【請求項７】
前記少なくとも１の外部接続機器から前記ヘッドフォン情報を受信した場合に、前記オーディオ信号送信装置と通信可能な状態にある前記外部接続機器のそれぞれについて、前記オーディオ信号の外部出力を停止させる必要があるか否かを、前記外部接続機器の出力可能なオーディオ信号の種別に応じて判断する出力可否判断部と、
前記出力可否判断部の判断に応じて、前記外部接続機器に対して、前記オーディオ信号の外部出力の停止を指示するミュート信号を送信するミュート信号送信部と、
をさらに備え、
前記音声出力制御部は、
前記出力可否判断部により前記オーディオ信号の外部出力を停止させる必要があると判断された前記外部接続機器に対して、前記ミュート信号を送信させるように前記ミュート信号送信部を制御し、
前記出力可否判断部により前記オーディオ信号の外部出力を停止させる必要がないと判断された前記外部接続機器に対して、前記ミュート信号を送信させないように前記ミュート信号送信部を制御する、請求項１に記載のオーディオ信号送信装置。
【請求項８】
前記外部接続機器に対して、前記オーディオ信号の外部出力の停止を指示するミュート信号を送信するミュート信号送信部をさらに備え、
前記オーディオ信号送信部は、前記オーディオ信号を複数のチャンネルを介して前記外部接続機器に送信しており、
前記音声出力制御部は、前記複数のチャンネルのうちの特定のチャンネルを介して送信された前記オーディオ信号を外部出力している前記外部接続機器に対して、前記ミュート信号を送信させるように前記ミュート信号送信部を制御する、請求項１に記載のオーディオ信号送信装置。
【請求項９】
前記ヘッドフォン機能を解除したことを示すヘッドフォン解除情報を受信した場合に、前記ヘッドフォン機能が有効な前記外部接続機器の有無を判断する接続状況管理部をさらに備え、
前記音声出力制御部は、
前記接続状況管理部により、前記ヘッドフォン機能が有効な前記外部接続機器が有ると判断された場合には、前記外部出力部による出力の停止状態を維持させるように制御し、
前記接続状況管理部により、前記ヘッドフォン機能が有効な前記外部接続機器が無いと判断された場合には、前記外部出力部による出力を再開させるように制御する、請求項１に記載のオーディオ信号送信装置。
【請求項１０】
前記オーディオ信号送信部は、前記オーディオ信号を複数のチャンネルを介して前記外部接続機器に送信しており、
前記オーディオ信号送信装置と前記外部接続機器とは、同一のコンテンツに対応する異なる前記チャンネルで送信している前記オーディオ信号を出力する、請求項１に記載のオーディオ信号送信装置。
【請求項１１】
複数の外部接続機器と通信可能であり、前記外部接続機器から受信したオーディオ信号を出力するオーディオ信号受信装置であって、
通信可能な状態にある前記外部接続機器から前記オーディオ信号を受信するオーディオ信号受信部と、
ヘッドフォンにより前記オーディオ信号を出力するヘッドフォン機能が有効である場合に、前記外部接続機器に、前記ヘッドフォン機能が有効であることを示すヘッドフォン情報を送信するヘッドフォン情報送信部と、
前記オーディオ信号受信部が受信した前記オーディオ信号を前記ヘッドフォンにより出力するヘッドフォン出力部と、
前記複数のチャンネルのそれぞれで送信している前記オーディオ信号の種別を表すチャンネルマッピング情報を、前記外部接続機器から取得するチャンネルマッピング情報取得部と、
取得した前記チャンネルマッピング情報に基づいて、前記オーディオ信号受信部が受信した前記オーディオ信号の中に、前記ヘッドフォン出力部が出力可能な前記オーディオ信号の種別であるヘッドフォン出力用オーディオ信号が含まれるか否かを判断する出力可否判断部と、
前記ヘッドフォン機能が有効である場合に、前記出力可否判断部により前記ヘッドフォン出力用オーディオ信号が含まれると判断された場合には、当該ヘッドフォン出力用オーディオ信号を前記ヘッドフォン出力部に出力させるように制御する音声出力制御部と、
を備える、オーディオ信号受信装置。
【請求項１２】
前記オーディオ信号受信部が受信した前記オーディオ信号を外部へ出力する外部出力部をさらに備え、
前記出力可否判断部は、さらに、取得した前記チャンネルマッピング情報に基づいて、前記オーディオ信号受信部が受信した前記オーディオ信号の中に、前記外部出力部が出力可能な前記オーディオ信号の種別である外部出力用オーディオ信号が含まれるか否かを判断し、
前記音声出力制御部は、前記ヘッドフォン機能が有効である場合に、前記出力可否判断部により前記外部出力用オーディオ信号が含まれないと判断された場合には、前記外部出力部による出力を停止させるように制御する、請求項１１に記載のオーディオ信号受信装置。
【請求項１３】
オーディオ信号を外部接続機器に送信するオーディオ信号送信装置と、前記オーディオ信号送信装置から受信した前記オーディオ信号を出力するオーディオ信号受信装置と、を備えるオーディオ信号伝送システムにおけるオーディオ信号伝送方法であって、
前記オーディオ信号送信装置が、前記オーディオ信号受信装置に、前記オーディオ信号を複数のチャンネルを介して送信するステップと、
前記オーディオ信号受信装置が、前記オーディオ信号送信装置から、前記オーディオ信号を受信するステップと、
前記オーディオ信号を受信した前記オーディオ信号受信装置が、ヘッドフォンにより前記オーディオ信号を出力するヘッドフォン機能が有効である場合に、前記オーディオ信号送信装置に、前記ヘッドフォン機能が有効であることを示すヘッドフォン情報を送信するステップと、
前記オーディオ信号送信装置が、前記オーディオ信号を受信した少なくとも１の前記オーディオ信号受信装置から、前記ヘッドフォン情報を受信した場合に、前記オーディオ信号送信装置による前記オーディオ信号の外部へ出力を停止するステップと、
前記オーディオ信号送信装置が、前記オーディオ信号を受信した少なくとも１の前記オーディオ信号受信装置から、前記ヘッドフォン情報を受信した場合に、前記複数のチャンネルのそれぞれで送信している前記オーディオ信号の種別を表すチャンネルマッピング情報を、前記ヘッドフォン機能が有効な前記外部接続機器が出力可能な前記オーディオ信号の種別を含む情報に変更するステップと、
を含む、オーディオ信号伝送方法。
【発明の詳細な説明】
【技術分野】
【０００１】
本発明は、オーディオ信号送信装置、オーディオ信号受信装置、オーディオ信号伝送システム、オーディオ信号伝送方法、及びプログラムに関する。
【０００２】
近年、ホームシアターシステム等の普及や情報伝送技術の発達に伴い、オーディオ信号を複数のチャンネルを用いて伝送する技術が盛んに用いられるようになってきている。このようなホームシアターシステム等のオーディオ信号を伝送するシステム（オーディオ信号伝送システム）においては、オーディオ信号を送信する側の装置（送信装置）と、オーディオ信号を受信する側の装置（受信装置）とが、各種の接続ケーブルを用いて接続されることが多い。
【０００３】
また、ホームシアターシステムを構成する複数のスピーカのレイアウトの自由度を高めるために、音源を提供する送信装置と、受信装置であるスピーカとを、接続ケーブルを用いることなく、いわゆるワイヤレスで接続する試みもなされている（例えば、特許文献１を参照）。
【０００４】
【特許文献１】特開２００７−２７９２８号公報
【発明の開示】
【発明が解決しようとする課題】
【０００５】
ところで、これまでのホームシアターシステム等のオーディオ信号伝送システムにおいては、送信装置は、受信装置に対して行われた各種操作を把握できないため、受信装置において行われた操作に伴って、送信装置の音声出力を適切に管理することができない、という問題があった。
【０００６】
また、送信装置に複数の受信装置が接続されている場合には、送信装置は、一の受信装置において行われた操作に伴って、他の受信装置の音声出力を適切に管理することができない、という問題もあった。
【０００７】
そこで、本発明は、このような問題に鑑みてなされたもので、オーディオ信号送信装置、オーディオ信号受信装置、オーディオ信号伝送システム、オーディオ信号伝送方法、及びプログラムにおいて、一の装置において行われた操作に伴って、他の装置の音声出力を適切に管理することを目的とする。
【課題を解決するための手段】
【０００８】
上記課題を解決するために、本発明のある観点によれば、複数の外部接続機器と通信可能であり、オーディオ信号を前記外部接続機器に送信するオーディオ信号送信装置であって、前記オーディオ信号を外部へ出力する外部出力部と、通信可能な状態にある前記外部接続機器に前記オーディオ信号を送信するオーディオ信号送信部と、前記オーディオ信号を受信した少なくとも１の前記外部接続機器から、ヘッドフォンにより前記オーディオ信号を出力するヘッドフォン機能が有効であることを示すヘッドフォン情報を受信した場合に、前記外部出力部による出力を停止させるように制御する音声出力制御部と、を備えるオーディオ信号送信装置が提供される。
【０００９】
前記音声出力制御部は、さらに、前記少なくとも１の外部接続機器が受信した前記オーディオ信号の外部出力を停止させるように制御してもよい。
【００１０】
また、前記音声出力制御部は、前記少なくとも１の外部接続機器以外の他の前記外部接続機器が通信可能な状態にある場合に、前記他の外部接続機器が受信した前記オーディオ信号の外部出力を停止させるように制御してもよい。
【００１１】
前記音声出力制御部は、さらに、前記他の外部接続機器の前記ヘッドフォン機能を有効にするように制御してもよい。
【００１２】
また、前記音声出力制御部は、さらに、前記オーディオ信号送信装置の前記ヘッドフォン機能を有効にするように制御してもよい。
【００１３】
また、前記オーディオ信号送信部は、前記オーディオ信号を複数のチャンネルを介して前記外部接続機器に送信しており、前記少なくとも１の外部接続機器から前記ヘッドフォン情報を受信した場合に、前記複数のチャンネルのそれぞれで送信している前記オーディオ信号の種別を表すチャンネルマッピング情報を、前記ヘッドフォン機能が有効な前記外部接続機器が出力可能な前記オーディオ信号の種別を含む情報に変更するチャンネルマッピング情報生成部をさらに備えることもできる。
【００１４】
前記チャンネルマッピング情報生成部により変更された前記チャンネルマッピング情報を、少なくとも前記ヘッドフォン情報を送信した前記外部接続機器に提供するチャンネルマッピング情報提供部をさらに備えることもできる。
【００１５】
前記音声出力制御部は、前記チャンネルマッピング情報提供部から、前記変更後の前記チャンネルマッピング情報を取得した前記外部接続機器に対して、当該外部接続機器が受信した前記オーディオ信号の外部出力を停止させるように制御してもよい。
【００１６】
前記音声出力制御部は、前記チャンネルマッピング情報提供部から、前記変更後の前記チャンネルマッピング情報を取得していない前記外部接続機器に対して、当該外部接続機器が受信した前記オーディオ信号の外部出力を維持させるように制御してもよい。
【００１７】
また、前記少なくとも１の外部接続機器から前記ヘッドフォン情報を受信した場合に、前記オーディオ信号送信装置と通信可能な状態にある前記外部接続機器のそれぞれについて、前記オーディオ信号の外部出力を停止させる必要があるか否かを、前記外部接続機器の出力可能なオーディオ信号の種別に応じて判断する出力可否判断部と、前記出力可否判断部の判断に応じて、前記外部接続機器に対して、前記オーディオ信号の外部出力の停止を指示するミュート信号を送信するミュート信号送信部と、をさらに備え、前記音声出力制御部は、前記出力可否判断部により前記オーディオ信号の外部出力を停止させる必要があると判断された前記外部接続機器に対して、前記ミュート信号を送信させるように前記ミュート信号送信部を制御し、前記出力可否判断部により前記オーディオ信号の外部出力を停止させる必要がないと判断された前記外部接続機器に対して、前記ミュート信号を送信させないように前記ミュート信号送信部を制御してもよい。
【００１８】
また、前記外部接続機器に対して、前記オーディオ信号の外部出力の停止を指示するミュート信号を送信するミュート信号送信部をさらに備え、前記オーディオ信号送信部は、前記オーディオ信号を複数のチャンネルを介して前記外部接続機器に送信しており、前記音声出力制御部は、前記複数のチャンネルのうちの特定のチャンネルを介して送信された前記オーディオ信号を外部出力している前記外部接続機器に対して、前記ミュート信号を送信させるように前記ミュート信号送信部を制御してもよい。
【００１９】
また、前記ヘッドフォン機能を解除したことを示すヘッドフォン解除情報を受信した場合に、前記ヘッドフォン機能が有効な前記外部接続機器の有無を判断する接続状況管理部をさらに備え、前記音声出力制御部は、前記接続状況管理部により、前記ヘッドフォン機能が有効な前記外部接続機器が有ると判断された場合には、前記外部出力部による出力の停止状態を維持させるように制御し、前記接続状況管理部により、前記ヘッドフォン機能が有効な前記外部接続機器が無いと判断された場合には、前記外部出力部による出力を再開させるように制御してもよい。
【００２０】
また、前記オーディオ信号送信部は、前記オーディオ信号を複数のチャンネルを介して前記外部接続機器に送信しており、前記オーディオ信号送信装置と前記外部接続機器とは、同一のコンテンツに対応する異なる前記チャンネルで送信している前記オーディオ信号を出力してもよい。
【００２１】
また、複数の前記外部接続機器と無線通信可能であってもよい。
【００２２】
上記課題を解決するために、本発明の他の観点によれば、複数の外部接続機器と通信可能であり、前記外部接続機器から受信した前記オーディオ信号を出力するオーディオ信号受信装置であって、通信可能な状態にある前記外部接続機器から前記オーディオ信号を受信するオーディオ信号受信部と、ヘッドフォンにより前記オーディオ信号を出力するヘッドフォン機能が有効である場合に、前記外部接続機器に、前記ヘッドフォン機能が有効であることを示すヘッドフォン情報を送信するヘッドフォン情報送信部と、を備えるオーディオ信号受信装置が提供される。
【００２３】
前記オーディオ信号受信部が受信した前記オーディオ信号を前記ヘッドフォンにより出力するヘッドフォン出力部と、前記複数のチャンネルのそれぞれで送信している前記オーディオ信号の種別を表すチャンネルマッピング情報を、前記外部接続機器から取得するチャンネルマッピング情報取得部と、取得した前記チャンネルマッピング情報に基づいて、前記オーディオ信号受信部が受信した前記オーディオ信号の中に、前記ヘッドフォン出力部が出力可能な前記オーディオ信号の種別であるヘッドフォン出力用オーディオ信号が含まれるか否かを判断する出力可否判断部と、前記ヘッドフォン機能が有効である場合に、前記出力可否判断部により前記ヘッドフォン出力用オーディオ信号が含まれると判断された場合には、当該ヘッドフォン出力用オーディオ信号を前記ヘッドフォン出力部に出力させるように制御する音声出力制御部と、をさらに備えることもできる。
【００２４】
前記オーディオ信号受信部が受信した前記オーディオ信号を外部へ出力する外部出力部をさらに備え、前記出力可否判断部は、さらに、取得した前記チャンネルマッピング情報に基づいて、前記オーディオ信号受信部が受信した前記オーディオ信号の中に、前記外部出力部が出力可能な前記オーディオ信号の種別である外部出力用オーディオ信号が含まれるか否かを判断し、前記音声出力制御部は、前記ヘッドフォン機能が有効である場合に、前記出力可否判断部により前記外部出力用オーディオ信号が含まれないと判断された場合には、前記外部出力部による出力を停止させるように制御してもよい。
【００２５】
上記課題を解決するために、本発明のさらに他の観点によれば、オーディオ信号を外部接続機器に送信するオーディオ信号送信装置と、前記オーディオ信号送信装置から受信した前記オーディオ信号を出力するオーディオ信号受信装置と、を備えるオーディオ信号伝送システムが提供される。
【００２６】
このオーディオ信号伝送システムにおいて、前記オーディオ信号送信装置は、前記オーディオ信号を外部へ出力する外部出力部と、通信可能な状態にある前記オーディオ信号受信装置に前記オーディオ信号を送信するオーディオ信号送信部と、前記オーディオ信号を受信した少なくとも１の前記オーディオ信号受信装置から、ヘッドフォンにより前記オーディオ信号を出力するヘッドフォン機能が有効であることを示すヘッドフォン情報を受信した場合に、前記外部出力部による出力を停止させるように制御する音声出力制御部と、を備える。
【００２７】
また、前記オーディオ信号受信装置は、通信可能な状態にある前記オーディオ信号送信装置から前記オーディオ信号を受信するオーディオ信号受信部と、前記オーディオ信号送信装置に前記ヘッドフォン情報を送信するヘッドフォン情報送信部と、を備える。
【００２８】
上記課題を解決するために、本発明のさらに他の観点によれば、オーディオ信号を外部接続機器に送信するオーディオ信号送信装置と、前記オーディオ信号送信装置から受信した前記オーディオ信号を出力するオーディオ信号受信装置と、を備えるオーディオ信号伝送システムにおけるオーディオ信号伝送方法であって、前記オーディオ信号送信装置が、前記オーディオ信号受信装置に、前記オーディオ信号を送信するステップと、前記オーディオ信号受信装置が、前記オーディオ信号送信装置から、前記オーディオ信号を受信するステップと、前記オーディオ信号を受信した前記オーディオ信号受信装置が、ヘッドフォンにより前記オーディオ信号を出力するヘッドフォン機能が有効である場合に、前記オーディオ信号送信装置に、前記ヘッドフォン機能が有効であることを示すヘッドフォン情報を送信するステップと、前記オーディオ信号送信装置が、前記オーディオ信号を受信した少なくとも１の前記オーディオ信号受信装置から、前記ヘッドフォン情報を受信した場合に、前記オーディオ信号送信装置による前記オーディオ信号の外部へ出力を停止するステップと、を含むオーディオ信号伝送方法が提供される。
【００２９】
上記課題を解決するために、本発明のさらに他の観点によれば、複数の外部接続機器と通信可能であり、オーディオ信号を前記外部接続機器に送信するオーディオ信号送信装置において実行されるプログラムであって、コンピュータに、前記オーディオ信号を外部へ出力する音声出力機能と、通信可能な状態にある前記外部接続機器に前記オーディオ信号を送信するオーディオ信号送信機能と、前記オーディオ信号を受信した少なくとも１の前記外部接続機器から、ヘッドフォンにより前記オーディオ信号を出力するヘッドフォン機能が有効であることを示すヘッドフォン情報を受信した場合に、前記音声出力機能による出力を停止させるように制御する音声出力制御機能と、を実現させるためのプログラムが提供される。
【００３０】
このような構成によれば、コンピュータプログラムは、コンピュータが備える記憶部に格納され、コンピュータが備えるＣＰＵに読み込まれて実行されることにより、そのコンピュータを上記のオーディオ信号送信装置として機能させる。また、コンピュータプログラムが記録された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００３１】
上記課題を解決するために、本発明のさらに他の観点によれば、複数の外部接続機器と通信可能であり、前記外部接続機器から受信した前記オーディオ信号を出力するオーディオ信号受信装置において実行されるプログラムであって、コンピュータに、通信可能な状態にある前記オーディオ信号送信装置から前記オーディオ信号を受信するオーディオ信号受信機能と、前記オーディオ信号送信装置に、ヘッドフォンにより前記オーディオ信号を出力するヘッドフォン機能が有効であることを示すヘッドフォン情報を送信するヘッドフォン情報送信機能と、を実現させるためのプログラムが提供される。
【００３２】
このような構成によれば、コンピュータプログラムは、コンピュータが備える記憶部に格納され、コンピュータが備えるＣＰＵに読み込まれて実行されることにより、そのコンピュータを上記のオーディオ信号送信装置として機能させる。また、コンピュータプログラムが記録された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００３３】
以上説明したような構成を有する本発明に係るオーディオ信号送信装置、オーディオ信号受信装置、オーディオ信号伝送システム、オーディオ信号伝送方法、及びプログラムによれば、一の装置において行われた操作に伴って、他の装置の音声出力を適切に管理することが可能となる。
【００３４】
なお、本発明におけるヘッドフォンとは、いわゆるヘッドフォンやイヤホンに限られず、オーディオ信号送信装置からオーディオ信号を直接的に取得し、又は、オーディオ信号送信装置からオーディオ信号を受信した外部接続機器からオーディオ信号を間接的に取得し、取得したオーディオ情報を耳に接近したスピーカを用いて出力するあらゆる装置を意味する。具体的には、本発明におけるヘッドフォンとしては、イヤホン、インナーイヤー型（外耳に引っ掛けるタイプ）、カナル型（耳の穴にインナーイヤー型よりも深く差し込んで使用するタイプ）、ヘッドバンド型（ヘッドバンドを頭の上に乗せるタイプ）、ネックバンド型（首の後ろ側に装着するタイプ）、耳掛け型・クリップ型（クリップを外耳に引っ掛けるタイプ）等の様々な種類のものが挙げられる。
【発明の効果】
【００３５】
本発明によれば、オーディオ信号送信装置、オーディオ信号受信装置、オーディオ信号伝送システム、オーディオ信号伝送方法、及びプログラムにおいて、一の装置において行われた操作に伴って、他の装置の音声出力を適切に管理することが可能となる。
【発明を実施するための最良の形態】
【００３６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３７】
［第１の実施形態］
（オーディオ信号伝送システム１の概要）
まず、図１を参照しながら、本発明の第１の実施形態に係るオーディオ信号伝送システム１の概要について詳細に説明する。なお、図１は、本実施形態に係るオーディオ信号伝送システム１の全体構成を示す説明図である。
【００３８】
図１に示すように、本実施形態に係るオーディオ信号伝送システム１は、オーディオ信号送信装置１０と、オーディオ信号受信装置２０Ａ，２０Ｂ（以下、まとめて「オーディオ信号受信装置２０」という場合がある。）と、を備える。
【００３９】
オーディオ信号送信装置１０は、外部接続機器であるオーディオ信号受信装置２０に対して、オーディオ信号を有線又は無線により伝送するとともに、オーディオ信号受信装置２０から送信される各種の情報を受信する。図１では、オーディオ信号を無線伝送する例を示した。オーディオ信号送信装置１０は、無線伝送するオーディオ信号を、例えば、ＤＶＤプレーヤーやＢｌｕ−ｒａｙディスク（以下、ＢＤと略記する。）プレーヤー等のオーディオ信号出力装置１２から取得してもよく、オーディオ信号送信装置１０自体が、上記のオーディオ信号出力装置の機能を有していてもよい。オーディオ信号送信装置１０及びオーディオ信号受信装置２０は、オーディオ信号の送信や各種情報の双方向データ通信を、例えばラジオ波の帯域を用いて行う。そのため、オーディオ信号送信装置１０及びオーディオ信号受信装置２０は、図１に示したように、同一の部屋（ＲＯＯＭ  １）の中に配置されていてもよく、異なる部屋（ＲＯＯＭ  １とＲＯＯＭ  ２）に分かれて配置されていてもよい。
【００４０】
オーディオ信号受信装置２０は、オーディオ信号送信装置１０が送信するオーディオ信号を受信し、受信したオーディオ信号を音声として出力する。また、オーディオ信号受信装置２０は、オーディオ信号送信装置１０に対して、オーディオ信号受信装置２０の接続に関する情報や、オーディオ信号受信装置２０がオーディオ信号をヘッドフォンにより出力（ヘッドフォン出力）していることを通知する信号や、送信されるオーディオ信号の変更希望通知等の各種の情報を送信する。オーディオ信号受信装置２０としては、例えば、図１のＲＯＯＭ１に示すように、オーディオ信号送信装置１０にワイヤレス接続されるサラウンドスピーカ群２０Ａであってもよく、図１のＲＯＯＭ２に示すように、オーディオ信号送信装置１０から無線送信されたオーディオ信号を出力するオーディオコンポ２０Ｂ等のようなオーディオ信号出力装置であってもよい。また、オーディオ信号受信装置２０は、例えば、ヘッドフォン２０Ｃやイヤホンのような、有線又は無線によりオーディオ信号送信装置１０と接続可能なオーディオ信号取得装置であってもよい。
【００４１】
また、オーディオ信号送信装置１０及びオーディオ信号受信装置２０Ａ，２０Ｂには、それぞれ、オーディオ信号を外部出力するためのスピーカ１４，２４Ａ，２４Ｂ、及び、ヘッドフォン２０Ｃ等のオーディオ信号取得装置をケーブルを介して接続するためのヘッドフォン出力端子１６Ａ，２６Ａ，２６Ｂが設けられている。
【００４２】
オーディオ信号伝送システム１では、オーディオ信号送信装置１０は、所定の時間間隔で当該オーディオ信号送信装置１０に接続されているオーディオ信号受信装置２０の有無を確認する。一方、オーディオ信号受信装置２０は、当該オーディオ信号受信装置２０にヘッドフォン２０Ｃ等の新たな外部接続機器が接続されるなどして、オーディオ信号の出力状況が変化（例えば、外部出力からヘッドフォン出力へ変化）した場合や、オーディオ信号受信装置２０に対してユーザが何らかの操作を実行した場合には、その旨を表す情報をオーディオ信号送信装置１０に対して送信する。このようにして、オーディオ信号送信装置１０は、オーディオ信号受信装置２０において行われた各種の操作を自動的に把握することが可能となる。
【００４３】
特に、本実施形態に係るオーディオ信号伝送システム１においては、例えば、オーディオ信号送信装置１０に接続されているサラウンドスピーカ群のうちの１つのサラウンドスピーカ２０Ａにヘッドフォン２０Ｃが接続された場合には、オーディオ信号送信装置１０は、ヘッドフォン２０Ｃが接続されたという情報を取得することができる。また、オーディオ信号送信装置１０は、サラウンドスピーカ群のうちの１つのサラウンドスピーカ２０Ａにヘッドフォン２０Ｃが接続されたという情報を取得した場合に、オーディオ信号送信装置１０自身のスピーカ１４からの外部出力を停止（ミュート）させるように制御することができる。さらに、オーディオ信号送信装置１０は、サラウンドスピーカ群のうちの１つのサラウンドスピーカ２０Ａにヘッドフォン２０Ｃが接続されたという情報を取得した場合に、他のサラウンドスピーカ２０Ａのスピーカ部２４Ａからの外部出力も停止させるように制御することができる。
【００４４】
また、サラウンドスピーカ群のうちの１つのサラウンドスピーカ２０Ａにヘッドフォン２０Ｃが接続された場合のみならず、オーディオ信号送信装置１０自身に、ヘッドフォン出力端子１６を介して有線によりヘッドフォン２０Ｃが接続された場合や、ワイヤレスヘッドフォン２０Ｃが無線により接続された場合にも、オーディオ信号送信装置１０は、同様の制御を行うことができる。
【００４５】
一方、オーディオ信号受信装置２０が、例えば、ヘッドフォン２０Ｃが接続されたサラウンドスピーカ２０Ａとは異なる部屋に配置されているオーディオコンポ２０Ｂであるような場合には、オーディオコンポ２０Ｂによるオーディオ信号の外部出力を停止させる必要はない。そこで、このような場合には、オーディオ信号送信装置１０は、オーディオコンポ２０Ｂによるオーディオ信号の外部出力を維持させるように制御することもできる。
【００４６】
以下、上述したようなオーディオ信号伝送システム１を構成するオーディオ信号送信装置１０及びオーディオ信号受信装置２０の構成について詳細に説明する。
【００４７】
（オーディオ信号送信装置１０のハードウェア構成）
まず、図２を参照しながら、本実施形態に係るオーディオ信号送信装置１０のハードウェア構成について詳細に説明する。図２は、本実施形態に係るオーディオ信号送信装置１０のハードウェア構成を示すブロック図である。
【００４８】
図２に示すように、本実施形態に係るオーディオ信号送信装置１０は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０３と、ＲＡＭ（Ｒａｎｄｏｍ  Ａｃｃｅｓｓ  Ｍｅｍｏｒｙ）１０５と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）１０７と、入力インターフェース（Ｉ／Ｆ）１０９と、表示インターフェース（Ｉ／Ｆ）１１３と、外部機器通信部１２１と、を備える。
【００４９】
また、外部機器通信部１２１には、ＤＳＰ（Ｄｉｇｉｔａｌ  Ｓｉｇｎａｌ  Ｐｒｏｃｅｓｓｏｒ）１２３が接続される。
【００５０】
ＣＰＵ１０１は、演算処理装置及び制御装置として機能し、ＲＯＭ１０３、ＲＡＭ１０５、ＥＥＰＲＯＭ１０７等に記録された各種プログラムに従って、オーディオ信号送信装置１０内の動作全般又はその一部を制御する。ＲＯＭ１０３及びＥＥＰＲＯＭ１０７は、ＣＰＵ１０１が使用するプログラムや演算パラメータ等を記憶する。ＲＡＭ１０５は、ＣＰＵ１０１の実行において使用するプログラムや、その実行において適宜変化するパラメータ等を一次記憶する。これらはＣＰＵバス等の内部バスにより構成されるホストバス及びＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バスから構成されるシステムバス１１７により、相互に接続されている。
【００５１】
入力インターフェース１０９は、キー操作部１１１を用いてユーザにより入力された情報に基づいて入力信号を生成し、ＣＰＵ１０１に出力する入力制御回路などから構成されているインターフェースである。オーディオ信号送信装置１０のユーザは、以下で説明するキー操作部１１１を操作することにより、オーディオ信号送信装置１０に対して各種のデータを入力したり処理動作を指示したりすることができる。
【００５２】
キー操作部１１１は、オーディオ信号送信装置１０に対して各種のデータを入力したり処理動作を指示したりする操作部である。キー操作部１１１は、例えば、マウス、キーボード、タッチパネル、ボタン、スイッチ及びレバーなどユーザが操作する操作手段である。また、キー操作部１１１は、例えば、赤外線やその他の電波を利用したリモートコントロール手段（いわゆる、リモコン）であってもよいし、オーディオ信号送信装置１０の操作に対応した携帯電話やＰＤＡ等の外部接続機器であってもよい。
【００５３】
表示インターフェース１１３は、ＣＰＵ１０１から出力された出力信号を、後述する表示部１１５へと伝送するためのインターフェースである。表示部１１５は、例えば、ＣＲＴディスプレイ装置、液晶ディスプレイ装置、プラズマディスプレイ装置、ＥＬディスプレイ装置及びランプなどの表示装置など、各種情報をユーザに対して視覚的に通知することが可能な装置で構成される。
【００５４】
外部機器通信部１２１は、例えば、オーディオ信号受信装置２０や、各種のオーディオ信号出力装置等と通信するための通信デバイス等で構成された通信インターフェースである。この外部機器通信部１２１は、一般的なワイヤレスオーディオ伝送規格に則ったインターフェースであってもよく、特定のワイヤレスオーディオ伝送規格に則ったインターフェースであってもよい。また、外部機器通信部１２１としては、もちろん、例えば、オーディオ信号送信装置１０と、ケーブル等を介して有線によりデータ通信を行うための、外部出力端子（図示せず）のようなものであってもよい。本実施形態に係るオーディオ信号送信装置１０は、この外部機器通信部１２１を介して、オーディオ信号受信装置２０に対してオーディオ信号を送信するとともに、オーディオ信号受信装置２０と双方向データ通信を行う。
【００５５】
ＤＳＰ１２３は、オーディオ信号や画像信号に対する各種処理に特化したＣＰＵである。このＤＳＰ１２３には、送信に用いられるオーディオ信号が入力されるオーディオ信号入力部１２５と、取得したオーディオ信号が出力されるオーディオ信号出力部１３７とが接続される。
【００５６】
オーディオ信号入力部１２５は、本実施形態に係るオーディオ信号送信装置１０が送信に用いるオーディオ信号が入力される処理部である。オーディオ信号入力部１２５は、例えば、ＣＤ／ＤＶＤ／ＢＤ１２７や、ＭＤ（Ｍｉｎｉ  Ｄｉｓｋ）等のデジタル機器が接続されるデジタル入力１２９や、チューナ（ＴＵＮＥＲ）１３１や、カセットテープやレコード等のアナログ機器が接続されるアナログ入力１３３等から構成される。また、チューナ１３１及びアナログ入力１３３から入力されたオーディオ信号は、ＡＤ変換部１３５によりアナログ信号からデジタル信号へと変換される。かかるオーディオ信号入力部１２５より入力されたオーディオ信号が、ＤＳＰ１２３及び外部機器通信部１２１を介してオーディオ信号受信装置２０へと送信される。
【００５７】
オーディオ信号出力部１３７は、オーディオ信号入力部１２５から入力されたオーディオ信号を、オーディオ信号送信装置１０の外部に出力する処理部である。オーディオ信号出力部１３７は、例えば、デジタル信号であるオーディオ信号をアナログ信号へと変換するＤＡ変換部（図示せず。）と、アナログ信号に変換されたオーディオ信号を増幅する増幅部（図示せず。）と、増幅されたオーディオ信号が出力されるスピーカ（図示せず。）等から構成される。
【００５８】
また、本実施形態に係るオーディオ信号送信装置１０は、上記構成の他に、例えば、ストレージ装置（図示せず。）や、ドライブ（図示せず。）等を備えていてもよい。
【００５９】
ストレージ装置は、本実施形態に係るオーディオ信号送信装置１０の記憶部の一例として構成されたデータ格納用の装置であり、例えば、ＨＤＤ（Ｈａｒｄ  Ｄｉｓｋ  Ｄｒｉｖｅ）等の磁気記憶部デバイス、半導体記憶デバイス、光記憶デバイス、又は光磁気記憶デバイス等により構成される。このストレージ装置は、ＣＰＵ１０１が実行するプログラムや各種データ、及び外部から取得したオーディオ信号などを格納することが可能である。
【００６０】
ドライブは、記憶媒体用リーダライタであり、オーディオ信号送信装置１０に内蔵、あるいは外付けされる。ドライブは、装着されている磁気ディスク、光ディスク、光磁気ディスク、又は半導体メモリ等のリムーバブル記録媒体に記録されている情報を読み出して、ＲＡＭ１０５に出力する。また、ドライブは、装着されている磁気ディスク、光ディスク、光磁気ディスク、又は半導体メモリ等のリムーバブル記録媒体に記録を書き込むことも可能である。リムーバブル記録媒体は、例えば、ＤＶＤメディア、ＨＤ−ＤＶＤメディア、Ｂｌｕ−ｒａｙメディア、コンパクトフラッシュ（登録商標）（ＣｏｍｐａｃｔＦｌａｓｈ：ＣＦ）、メモリースティック、又は、ＳＤメモリカード（Ｓｅｃｕｒｅ  Ｄｉｇｉｔａｌ  ｍｅｍｏｒｙ  ｃａｒｄ）等である。また、リムーバブル記録媒体は、例えば、非接触型ＩＣチップを搭載したＩＣカード（Ｉｎｔｅｇｒａｔｅｄ  Ｃｉｒｃｕｉｔ  ｃａｒｄ）又は電子機器等であってもよい。
【００６１】
以上説明した構成により、オーディオ信号送信装置１０は、様々なオーディオ信号出力源からオーディオ信号を取得し、外部機器通信部１２１を介して、オーディオ信号受信装置２０に対してオーディオ信号を送信することが可能になるとともに、オーディオ信号受信装置２０と双方向データ通信を行うことができる。
【００６２】
以上、本実施形態に係るオーディオ信号送信装置１０の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【００６３】
（オーディオ信号受信装置２０のハードウェア構成）
続いて、図３を参照しながら、本実施形態に係るオーディオ信号受信装置２０のハードウェア構成について詳細に説明する。なお、図３は、本実施形態に係るオーディオ信号受信装置２０のハードウェア構成を示すブロック図である。
【００６４】
図３に示すように、本実施形態に係るオーディオ信号受信装置２０は、ＣＰＵ２０１と、ＲＯＭ２０３と、ＲＡＭ２０５と、ＥＥＰＲＯＭ２０７と、入力インターフェース（Ｉ／Ｆ）２０９と、表示インターフェース（Ｉ／Ｆ）２１３と、外部機器通信部２２１と、を備える。
【００６５】
また、外部機器通信部２２１には、受信したオーディオ信号を出力するオーディオ信号出力部２２３が接続される。
【００６６】
ＣＰＵ２０１は、演算処理装置及び制御装置として機能し、ＲＯＭ２０３、ＲＡＭ２０５、ＥＥＰＲＯＭ２０７等に記録された各種プログラムに従って、オーディオ信号受信装置２０内の動作全般又はその一部を制御する。ＲＯＭ２０３及びＥＥＰＲＯＭ２０７は、ＣＰＵ２０１が使用するプログラムや演算パラメータ等を記憶する。ＲＡＭ２０５は、ＣＰＵ２０１の実行において使用するプログラムや、その実行において適宜変化するパラメータ等を一次記憶する。これらはＣＰＵバス等の内部バスにより構成されるホストバス及びＰＣＩバスなどの外部バスから構成されるシステムバス２１７により、相互に接続されている。
【００６７】
入力インターフェース２０９は、キー操作部２１１を用いてユーザにより入力された情報に基づいて入力信号を生成し、ＣＰＵ２０１に出力する入力制御回路などから構成されているインターフェースである。オーディオ信号受信装置２０のユーザは、以下で説明するキー操作部２１１を操作することにより、オーディオ信号受信装置２０に対して各種のデータを入力したり処理動作を指示したりすることができる。
【００６８】
キー操作部２１１は、オーディオ信号受信装置２０に対して各種のデータを入力したり処理動作を指示したりする操作部である。キー操作部２１１は、例えば、マウス、キーボード、タッチパネル、ボタン、スイッチ及びレバーなどユーザが操作する操作手段である。また、キー操作部２１１は、例えば、赤外線やその他の電波を利用したリモートコントロール手段（いわゆる、リモコン）であってもよいし、オーディオ信号受信装置２０の操作に対応した携帯電話やＰＤＡ等の外部接続機器であってもよい。
【００６９】
表示インターフェース２１３は、ＣＰＵ２０１から出力された出力信号を、後述する表示部２１５へと伝送するためのインターフェースである。表示部２１５は、例えば、ＣＲＴディスプレイ装置、液晶ディスプレイ装置、プラズマディスプレイ装置、ＥＬディスプレイ装置及びランプなどの表示装置など、各種情報をユーザに対して視覚的に通知することが可能な装置で構成される。
【００７０】
外部機器通信部２２１は、例えば、オーディオ信号送信装置１０や、各種のオーディオ信号出力装置等と通信するための通信デバイス等で構成された通信インターフェースである。この外部機器通信部２２１は、一般的なワイヤレスオーディオ伝送規格に則ったインターフェースであってもよく、特定のワイヤレスオーディオ伝送規格に則ったインターフェースであってもよい。また、外部機器通信部２２１としては、もちろん、例えば、オーディオ信号送信装置１０と、ケーブル等を介して有線によりデータ通信を行うための、外部出力端子（図示せず）のようなものであってもよい。本実施形態に係るオーディオ信号受信装置２０は、この外部機器通信部２２１を介して、オーディオ信号送信装置１０からオーディオ信号を受信するとともに、オーディオ信号送信装置１０と双方向データ通信を行う。
【００７１】
オーディオ信号出力部２２３は、オーディオ信号送信装置１０から送信されたオーディオ信号を出力する処理部である。オーディオ信号出力部２２３は、図３に示したように、例えば、ＤＡ変換部２２５と、増幅部２２７と、スピーカ２２９と、から構成される。
【００７２】
ＤＡ変換部２２５は、受信したオーディオ信号をデジタル信号からアナログ信号へと変換する。アナログ信号に変換されたオーディオ信号は、増幅部２２７により増幅され、スピーカ２２９から出力される。
【００７３】
また、本実施形態に係るオーディオ信号受信装置２０は、本実施形態に係るオーディオ信号送信装置１０が備えるＤＳＰやオーディオ信号入力部を備えていてもよい。更に、オーディオ信号受信装置２０は、上記構成の他に、例えば、ストレージ装置（図示せず。）や、ドライブ（図示せず。）等を備えていてもよい。
【００７４】
ストレージ装置は、本実施形態にかかるオーディオ信号受信装置２０の記憶部の一例として構成されたデータ格納用の装置であり、例えば、ＨＤＤ（Ｈａｒｄ  Ｄｉｓｋ  Ｄｒｉｖｅ）等の磁気記憶部デバイス、半導体記憶デバイス、光記憶デバイス、又は光磁気記憶デバイス等により構成される。このストレージ装置は、ＣＰＵ２０１が実行するプログラムや各種データ、及び外部から取得したオーディオ信号などを格納することが可能である。
【００７５】
ドライブは、記憶媒体用リーダライタであり、オーディオ信号受信装置２０に内蔵、あるいは外付けされる。ドライブは、装着されている磁気ディスク、光ディスク、光磁気ディスク、又は半導体メモリ等のリムーバブル記録媒体に記録されている情報を読み出して、ＲＡＭ２０５に出力する。また、ドライブは、装着されている磁気ディスク、光ディスク、光磁気ディスク、又は半導体メモリ等のリムーバブル記録媒体に記録を書き込むことも可能である。リムーバブル記録媒体は、例えば、ＤＶＤメディア、ＨＤ−ＤＶＤメディア、Ｂｌｕ−ｒａｙメディア、コンパクトフラッシュ（登録商標）、メモリースティック、又は、ＳＤメモリカード等である。また、リムーバブル記録媒体は、例えば、非接触型ＩＣチップを搭載したＩＣカード又は電子機器等であってもよい。
【００７６】
以上説明した構成により、オーディオ信号受信装置２０は、外部機器通信部２２１を介して、オーディオ信号送信装置１０からオーディオ信号を取得することが可能になるとともに、オーディオ信号送信装置１０と双方向データ通信を行うことができる。
【００７７】
以上、本実施形態に係るオーディオ信号受信装置２０の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【００７８】
（オーディオ信号送信装置１０の機能構成）
次に、図４を参照しながら、上述したハードウェア構成により実現される本実施形態に係るオーディオ信号送信装置１０の機能構成について詳細に説明する。なお、図４は、本実施形態に係るオーディオ信号送信装置１０の機能構成を示すブロック図である。
【００７９】
図４に示すように、オーディオ信号送信装置１０は、送信オーディオ信号取得部１５１と、記憶部１５３と、外部出力部１５５と、ヘッドフォン出力部１５７と、オーディオ信号送信部１５９と、接続状況管理部１６１と、音声出力制御部１６３と、チャンネル（ＣＨ）マッピング情報生成部１６５と、接続管理情報送信部１６７と、を備える。
【００８０】
送信オーディオ信号取得部１５１は、例えば、ＣＰＵ、ＲＯＭ、ＲＡＭ、ＥＥＰＲＯＭ、外部機器通信部等から構成され、ＣＤ，ＤＶＤ，ＢＤ等のプレーヤー等のオーディオ信号出力装置１２から出力されるオーディオ信号を取得して、オーディオ信号受信装置２０へと送信するオーディオ信号とする。また、送信オーディオ信号取得部１５１は、ラジオ放送等によるオーディオ信号をチューナ等を介して取得することもできる。さらに、送信オーディオ信号取得部１５１は、記憶部１５３にオーディオ信号が記録されている場合には、記憶部１５３からオーディオ信号を取得することも可能である。送信オーディオ信号取得部１５１が取得したオーディオ信号は、後述する外部出力部１５５、ヘッドフォン出力部１５７及びオーディオ信号送信部１５９へと伝送される。また、送信オーディオ信号取得部１５１が取得したオーディオ信号は、記憶部１５３に保存されてもよい。
【００８１】
記憶部１５３には、例えば、送信オーディオ信号取得部１５１が取得したオーディオ信号、後述するＣＨマッピング情報を構成するオーディオ信号の種別等が記録されているデータベースや、オーディオ信号受信装置２０に対して送信しうる各種送信情報や、本実施形態に係るオーディオ信号送信装置１０が利用する各種プログラムや処理方法等が格納される。
【００８２】
さらに、記憶部１５３には、上記データベースやプログラム以外にも、オーディオ信号送信装置１０が、何らかの処理を行う際に保存する必要が生じた様々なパラメータや処理の途中経過等を、適宜記憶することが可能である。この記憶部１５３には、送信オーディオ信号取得部１５１、音声出力制御部１６３、ＣＨマッピング情報生成部１６５等が、自由に読み書きを行うことが可能である。
【００８３】
外部出力部１５５は、例えば、ＤＡ変換部、アンプ及びスピーカ等から構成され、送信オーディオ信号取得部１５１から伝送されたオーディオ信号を、オーディオ信号送信装置１０の外部へ出力する。なお、この外部出力部１５５によるオーディオ信号の出力制御は、後述する音声出力制御部１６３により行われる。
【００８４】
ヘッドフォン出力部１５７は、例えば、オーディオ信号送信装置１０と有線又は無線により接続されたヘッドフォン等のオーディオ信号取得装置と接続され、送信オーディオ信号取得部１５１から伝送されたオーディオ信号を、当該オーディオ信号取得装置へ出力する。なお、このヘッドフォン出力部１５７によるオーディオ信号の出力制御は、後述する音声出力制御部１６３により行われる。
【００８５】
オーディオ信号送信部１５９は、例えば、ＣＰＵ、ＲＯＭ、ＲＡＭ、ＥＥＰＲＯＭ、ＤＳＵ、外部機器通信部等から構成され、ＣＨマッピング情報生成部１６５から音声出力制御部を介して伝送されたＣＨマッピング情報に基づいて、オーディオ信号を各チャンネルに分配し、通信可能な状態にあるオーディオ信号受信装置２０へと送信する。また、ＣＨマッピング情報に記載されている各チャンネルにおけるオーディオ信号の種別（オーディオ信号の属性）に適応させるために、送信予定のオーディオ信号に対して変換を行う必要がある場合には、オーディオ信号送信部１５９は、送信予定のオーディオ信号に対して所定の変換処理を施し、変換後のオーディオ信号を送信する。ここで、上記の変換処理とは、例えば、変換前のオーディオ信号が、５．１チャンネルに対応したオーディオ信号であった場合に、通常の２チャンネルのオーディオ信号へとダウンミックスする場合等が考えられる。なお、このオーディオ信号送信部１５９による処理は、後述する音声出力制御部１６３により制御される。
【００８６】
ここで、上記「チャンネル（ＣＨ）マッピング情報」とは、複数のチャンネルそれぞれで送信しているオーディオ信号の種別を表す情報の集合である。オーディオ信号の種別は、例えば、ＤＶＤから取得したオーディオ信号や、デジタル入力に接続された機器から取得したオーディオ信号等のように、オーディオ信号の出所（ソース）を表すものや、サブウーファー用、サラウンドリアスピーカ用又はサラウンドバックスピーカ用のサブ音声等のように、サラウンド音声であることを表すもの等が存在する。チャンネルマッピング情報（ＣＨマッピング情報）の詳細については後述する。
【００８７】
接続状況管理部１６１は、例えば、ＣＰＵ、ＲＯＭ、ＲＡＭ、ＥＥＰＲＯＭ等から構成され、オーディオ信号送信装置１０に接続されているオーディオ信号受信装置２０等の外部接続機器の接続制御を一括して行う。接続状況管理部１６１は、オーディオ信号受信装置２０等の外部接続機器から送信された接続確立要求を受信すると、接続の可否を判断し、接続を確立してもよいと判断した場合には、外部接続機器との接続を確立する。また、接続状況管理部１６１は、オーディオ信号受信装置２０等の外部接続機器から送信された接続解除要求を受信すると、そのオーディオ信号受信装置２０との接続を解消する。すなわち、接続状況管理部１６１は、オーディオ信号送信装置１０に接続可能な外部接続機器（例えば、本実施形態に係るオーディオ信号受信装置２０や、オーディオ信号送信装置１０及び／又はオーディオ信号受信装置２０に接続されているヘッドフォン等の外部接続機器等）の有無や稼動状態に応じて、外部接続機器の接続を制御する。
【００８８】
また、接続状況管理部１６１は、オーディオ信号送信装置１０に接続可能な外部接続機器の接続状況を管理する。接続状況管理部１６１は、オーディオ信号受信装置２０から送信される当該受信装置２０の稼働状況に関する情報（以下、「稼働状況情報」という。）に基づいて、オーディオ信号送信装置１０に接続可能な外部接続機器の台数や稼働状況を把握し、接続管理を行う。具体的には、接続状況管理部１６１は、所定の時間間隔ごと（例えば、１分ごと）に、オーディオ信号受信装置２０の稼動状態を確認する稼動状態確認信号をすべてのオーディオ信号受信装置２０に対して送信し、どのオーディオ信号受信装置２０から返信があるかを確認する。接続状況管理部１６１は、返信のあったオーディオ信号受信装置２０を稼動状態にあると判断する。
【００８９】
また、接続状況管理部１６１は、オーディオ信号受信装置２０から、オーディオ信号受信装置２０がオーディオ信号送信装置１０に対して送信してきた各種情報に関する内容を通知されると、通知された内容に応じて、オーディオ信号受信装置２０の接続状況を変更する。このような各種情報としては、例えば、オーディオ信号受信装置２０の接続確立要求や、オーディオ信号受信装置２０の接続解除要求や、オーディオ信号送信装置１０から送信されているオーディオ信号の種別変更を希望する要求や、オーディオ信号受信装置２０が外部出力からヘッドフォン出力に変更された旨の情報（ヘッドフォン情報）、オーディオ信号受信装置２０がヘッドフォン出力から外部出力に変更された旨の情報（ヘッドフォン解除情報）等がある。
【００９０】
ここで、本実施形態に係るオーディオ信号送信装置１０では、オーディオ信号受信装置２０の接続状況を変更するために、接続状況管理部１６１が、後述する音声出力制御部１６３を介して、ＣＨマッピング情報生成部１６５に対して、ＣＨマッピング情報の変更、すなわち、新たなＣＨマッピング情報の生成を要求する。このように、本実施形態に係る接続状況管理部１６１は、オーディオ信号送信装置１０に接続可能な各種の外部接続機器の有無や稼働状況を、一括して管理する。
【００９１】
音声出力制御部１６３は、オーディオ信号受信装置２０の接続状況に応じて、オーディオ信号送信装置１０自身、及び、オーディオ信号送信装置１０に接続されて通信可能な状態にある１又は２以上のオーディオ信号受信装置２０、におけるオーディオ信号の出力方法を制御する。具体的には、音声出力制御部１６３は、接続状況管理部１６１から伝送されるオーディオ信号受信装置２０の稼働状況に関する情報や、接続状況管理部１６１から伝送されるオーディオ信号受信装置２０に関する各種情報の内容を、例えば記憶部１５３に格納されている各種のデータベース等を参照しながら判断する。その結果、オーディオ信号送信装置１０に接続している外部接続機器の台数が更新されたり、接続している外部接続機器の稼動状態が変更されたりしている場合には、現在利用されているＣＨマッピング情報の変更が必要であると判定する。そして、音声出力制御部１６３は、後述するＣＨマッピング情報生成部１６５に対して、新たなＣＨマッピング情報の生成（すなわち、現在利用されているＣＨマッピング情報の更新）を行うように要求する。さらに、音声出力制御部１６３は、後述する接続管理情報送信部１６７に対して、ＣＨマッピング情報生成部１６５により更新されたＣＨマッピング情報をオーディオ信号受信装置２０に送信するように要求する。
【００９２】
一方、オーディオ信号受信装置２０においては、接続管理情報送信部１６７から受信したＣＨマッピング情報に基づいて、オーディオ信号送信部１５９から受信した複数のチャンネルに対応するオーディオ信号の中から出力可能なオーディオ信号を選択して出力する。すなわち、複数のチャンネルに対応したオーディオ信号の中に含まれるオーディオ信号の種別（ＣＨマッピング情報）に基づいて、オーディオ信号受信装置２０において出力可能なオーディオ信号が決定される。従って、音声出力制御部１６３は、ＣＨマッピング情報生成部１６５に所望のＣＨマッピング情報を生成させることにより、オーディオ信号受信装置２０におけるオーディオ信号の出力を制御することができる。
【００９３】
なお、オーディオ信号送信装置１０におけるオーディオ信号の出力については、音声出力制御部１６３が、外部出力部１５５やヘッドフォン出力部１５７を直接制御することにより、オーディオ信号送信装置１０におけるオーディオ信号の出力を制御することが可能である。例えば、音声出力制御部１６３は、接続状況管理部１６１から、オーディオ信号送信装置１０にヘッドフォンが接続された旨の情報を受け取った場合には、外部出力部１５５からのオーディオ信号の出力を停止させ、ヘッドフォン出力部１５７によりオーディオ信号を出力させるように制御することができる。
【００９４】
本実施形態に係る音声出力制御部１６３は、上述したようにして、オーディオ信号送信装置１０自身及びオーディオ信号受信装置２０におけるオーディオ信号の出力を制御する。
【００９５】
ＣＨマッピング情報生成部１６５は、例えば、ＣＰＵ、ＲＯＭ、ＲＡＭ、ＥＥＰＲＯＭ等から構成され、音声出力制御部１６３からの要求に応じて、新たなＣＨマッピング情報の生成を行う。新たなＣＨマッピング情報の生成に際して、ＣＨマッピング情報生成部１６５は、例えば記憶部１５３に格納されている各種のデータベースや、接続状況管理部１６１から伝送される様々な情報等を参照しながら、外部接続機器であるオーディオ信号受信装置２０の接続状況の変化や、オーディオ信号受信装置２０からの様々な要求を反映するように、ＣＨマッピング情報を動的に生成する。特に、本実施形態に係るＣＨマッピング情報生成部１６５においては、接続状況管理部１６１から伝送される様々な情報として、ヘッドフォン情報及びヘッドフォン解除情報等が挙げられる。ＣＨマッピング情報生成部１６５は、これらの情報が接続状況管理部１６１から音声出力制御部１６３を介して伝送された場合には、上述したように、これらの情報を送信したオーディオ信号受信装置２０の出力状況に応じて、適切なＣＨマッピング情報を生成する。
【００９６】
生成された新たなＣＨマッピング情報は、後述する接続管理情報送信部１６７、及び、音声出力制御部１６３を介してオーディオ信号送信部１５９へと出力される。なお、ＣＨマッピング情報生成部１６５からオーディオ信号送信部１５９への出力は、音声出力制御部１６３を介さずに直接行ってもよい。また、新たに生成されたＣＨマッピング情報は、記憶部１５３に記録されてもよい。
【００９７】
接続管理情報送信部１６７は、本実施形態に係るチャンネルマッピング情報提供部として機能する。具体的には、接続管理情報送信部１６７は、ＣＨマッピング情報生成部１６５により生成されたＣＨマッピング情報や、接続状況管理部１６１が発行する接続確立や接続解除といったオーディオ信号送信装置１０との接続状態を表す情報を含む接続管理情報を、オーディオ信号受信装置２０等の外部接続機器へと送信する。ここで、接続管理情報とは、上述のようにオーディオ信号送信装置１０から送信されるオーディオ信号の受信や、オーディオ信号送信装置１０から通知される接続確立や接続解除等の、オーディオ信号送信装置１０との接続に関係する情報を意味する。
【００９８】
接続管理情報の送信は、接続が確立されているか否かを問わずすべての外部接続機器に対して行ってもよく、接続管理情報の送信要求を通知してきた外部接続機器に対してのみ、送信を行ってもよい。また、ＣＨマッピング情報の送信に関して、接続管理情報送信部１６７は、ＣＨマッピング情報生成部１６５が生成したＣＨマッピング情報を、ＣＨマッピング情報生成部１６５からの伝送があった際に自主的に送信してもよく、外部接続機器とのデータ通信が発生した際に、新たなＣＨマッピング情報をあわせて送信してもよい。
【００９９】
ここで、上述した音声出力制御部１６３は、上述したような出力制御の中でも、特に、オーディオ信号送信部１５９からオーディオ信号を受信した外部接続機器であるオーディオ信号受信装置２０のうち、少なくとも１のオーディオ信号受信装置２０から、ヘッドフォンによりオーディオ信号を出力するヘッドフォン機能が有効であること、すなわち、ヘッドフォン出力していることを示すヘッドフォン情報を受信した場合の出力制御を行うことができる点が重要である。このような場合には、音声出力制御部１６３は、以下に挙げる（１）から（５）の制御を行うことができる。
（１）外部出力部１５５によるオーディオ信号の出力を停止させる。
（２）ヘッドフォン情報を送信したオーディオ信号受信装置２０によるオーディオ信号の外部出力を停止させる。
（３）ヘッドフォン情報を送信したオーディオ信号受信装置２０以外の他の外部接続機器（オーディオ信号受信装置２０を含む）がオーディオ信号送信装置１０と通信可能な状態にある場合には、当該他の外部接続機器によるオーディオ信号の外部出力を停止させる。
（４）ヘッドフォン情報を送信したオーディオ信号受信装置２０以外の他の外部接続機器がオーディオ信号送信装置１０と通信可能な状態にある場合には、当該他の外部接続機器のヘッドフォン機能を有効にする（オーディオ信号をヘッドフォン出力にする）。
（５）オーディオ信号送信装置１０自身のヘッドフォン機能を有効にする（オーディオ信号をヘッドフォン出力にする）。
【０１００】
また、音声出力制御部１６３は、少なくとも１のオーディオ信号受信装置２０からヘッドフォン情報を取得した後に、ヘッドフォン機能を解除、すなわち、ヘッドフォン出力から再び外部出力に変更したことを示すヘッドフォン解除情報を取得した場合には、ヘッドフォン機能が有効な外部接続機器の有無に応じて、以下に挙げる（６）及び（７）の制御を行うことができる。
（６）ヘッドフォン機能が有効な外部接続機器が１つでも有る場合には、外部出力部１５５による出力の停止状態及びヘッドフォン出力部１５７による出力を維持させる。
（７）ヘッドフォン機能が有効な外部接続機器が１つも無い場合（０の場合）には、ヘッドフォン機能が有効な外部接続機器が１つでも有る場合には、外部出力部１５５による出力を再開させ、ヘッドフォン出力部１５７による出力を停止させる。
【０１０１】
以下、上記（１）から（７）の制御について、音声出力制御部１６３がＣＨマッピング情報生成部１６５に要求する内容を示しながら、詳細に説明する。
【０１０２】
（１）及び（５）については、音声出力制御部１６３は、オーディオ信号送信部１５９からオーディオ信号を受信した外部接続機器であるオーディオ信号受信装置２０のうち、少なくとも１のオーディオ信号受信装置２０から、ヘッドフォン出力していることを示すヘッドフォン情報を受信した場合には、外部出力部１５５によるオーディオ信号の出力を停止させるとともに、ヘッドフォン出力部１５７によるオーディオ信号の出力を開始させる。具体的には、音声出力制御部１６３は、外部出力部１５５へのオーディオ信号の伝送を停止させ、ヘッドフォン出力部１５７へのオーディオ信号の伝送を開始させるように制御する。
【０１０３】
（２）については、音声出力制御部１６３は、オーディオ信号送信部１５９からオーディオ信号を受信した外部接続機器であるオーディオ信号受信装置２０のうち、少なくとも１のオーディオ信号受信装置２０から、ヘッドフォン出力していることを示すヘッドフォン情報を受信した場合には、ＣＨマッピング情報生成部１６５に、外部出力用のオーディオ信号をヘッドフォン出力用の信号に変更したＣＨマッピング情報を生成するように要求する。さらに、音声出力制御部１６３は、この変更されたＣＨマッピング情報を、ヘッドフォン信号を送信したオーディオ信号受信装置２０に送信するように、接続管理情報送信部１６７を制御する。オーディオ信号受信装置２０は、この変更されたＣＨマッピング情報を受信すると、このＣＨマッピング情報に基づいて、出力可能なオーディオ信号が存在するか否かを判断する。この判断の結果、オーディオ信号受信装置２０では、受信したＣＨマッピング情報には、外部出力用のオーディオ信号が存在しないと判断されるため、オーディオ信号受信装置２０におけるオーディオ信号の外部出力は、自動的に停止されることとなる。
【０１０４】
（３）については、音声出力制御部１６３は、上記のようにして変更されたＣＨマッピング情報を、ヘッドフォン信号を送信したオーディオ信号受信装置２０以外の他のオーディオ信号受信装置２０にも送信させるように、接続管理情報送信部１６７を制御する。上記他のオーディオ信号受信装置２０では、この変更されたＣＨマッピング情報を受信すると、ヘッドフォン信号を送信したオーディオ信号受信装置２０の場合と同様に、オーディオ信号の外部出力は、自動的に停止されることとなる。
【０１０５】
なお、音声出力制御部１６３は、例えば、図１に示したような、オーディオ信号送信部１０とは異なる部屋に配置されたオーディオコンポ２０Ｂのようなオーディオ信号受信装置２０に対しては、このオーディオコンポ２０Ｂにおけるオーディオ信号出力用の信号については、外部出力からヘッドフォン出力に変更させないように、ＣＨマッピング情報生成部１６５を制御することもできる。あるいは、オーディオ信号送信部１０と同じ部屋に配置されたオーディオ信号受信装置２０に送信したＣＨマッピング情報を送信させないように、接続管理情報送信部１６７を制御することもできる。このように制御することにより、オーディオ信号送信部１０とは異なる部屋に配置されたオーディオコンポ２０Ｂでは、オーディオ信号の外部出力を継続することができ、ユーザの意に反して、突然オーディオ信号の外部出力が停止されるというような事態を防止することができる。
【０１０６】
（４）については、上記のように、音声出力制御部１６３は、上記のようにして変更されたＣＨマッピング情報を、ヘッドフォン信号を送信したオーディオ信号受信装置２０以外の他のオーディオ信号受信装置２０にも送信させるように、接続管理情報送信部１６７を制御する。上記他のオーディオ信号受信装置２０では、この変更されたＣＨマッピング情報を受信すると、このＣＨマッピング情報に基づいて、出力可能なオーディオ信号が存在するか否かを判断する。この判断の結果、オーディオ信号受信装置２０では、受信したＣＨマッピング情報には、ヘッドフォン出力用のオーディオ信号が存在すると判断されるため、オーディオ信号受信装置２０におけるオーディオ信号のヘッドフォン出力は、自動的に開始されることとなる。
【０１０７】
（６）については、接続状況管理部１６１が、少なくとも１のオーディオ信号受信装置２０からヘッドフォン情報を取得した後に、ヘッドフォン機能を解除したことを示すヘッドフォン解除情報を取得した場合には、まず、接続状況管理部１６１が、ヘッドフォン機能が有効な（ヘッドフォン出力になっている）オーディオ信号受信装置２０の有無を判断する。そして、音声出力制御部１６３は、この接続状況管理部１６１の判断により、ヘッドフォン機能が有効なオーディオ信号受信装置２０が存在すると判断された場合には、外部出力部１５５による出力停止状態及びヘッドフォン出力部１５７による出力状態を維持させるとともに、ＣＨマッピング情報を変更しないように、ＣＨマッピング情報生成部１６５を制御する。これにより、オーディオ信号送信装置１０及びヘッドフォン機能が有効なオーディオ信号受信装置２０において、外部出力の停止状態及びヘッドフォンによる出力状態が維持される。
【０１０８】
（７）については、接続状況管理部１６１が、少なくとも１のオーディオ信号受信装置２０からヘッドフォン情報を取得した後に、ヘッドフォン機能を解除したことを示すヘッドフォン解除情報を取得した場合には、まず、接続状況管理部１６１が、ヘッドフォン機能が有効な（ヘッドフォン出力になっている）オーディオ信号受信装置２０の有無を判断する。そして、音声出力制御部１６３は、この接続状況管理部１６１の判断により、ヘッドフォン機能が有効なオーディオ信号受信装置２０が存在しないと判断された場合には、外部出力部１５５による出力を再開させるとともに、ヘッドフォン出力部１５７による出力を停止させる。併せて、音声出力制御部１６３は、ＣＨマッピング情報を、ヘッドフォン出力用のオーディオ信号から、外部出力用のオーディオ信号を含むものに変更させるように、ＣＨマッピング情報生成部１６５を制御する。さらに、音声出力制御部１６３は、この変更されたＣＨマッピング情報を、オーディオ信号受信装置２０に送信させるように、接続管理情報送信部１６７を制御する。これにより、オーディオ信号送信装置１０及びヘッドフォン機能が有効なオーディオ信号受信装置２０において、外部出力が再開されるとともに、ヘッドフォン出力が停止される。
【０１０９】
なお、本実施形態に係るオーディオ信号送信装置１０では、外部接続機器へのオーディオ信号の送信や、外部接続機器との双方向通信は、無線伝送により行われてもよく、有線伝送により行われてもよいが、無線伝送により行われることが好ましい。
【０１１０】
以上、本実施形態に係るオーディオ信号送信装置１０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【０１１１】
（チャンネルマッピング情報について）
次に、図５Ａ及び図５Ｂを参照しながら、本実施形態に係るオーディオ信号送信装置１０が生成するチャンネルマッピング情報について詳細に説明する。図５Ａ及び図５Ｂは、本実施形態に係るチャンネルマッピング情報の一例を説明するための説明図である。
【０１１２】
本実施形態に係るオーディオ信号送信装置１０が生成するＣＨマッピング情報は、少なくとも２以上のステレオ信号（換言すれば、少なくとも４チャンネルのモノラル信号）を送信可能となるような複数のチャンネル（ＣＨ）それぞれについて、各チャンネルに割り当てられるオーディオ信号の種別を表した情報の集合として規定される。
【０１１３】
図５Ａ及び図５Ｂでは、４つのステレオ信号（換言すれば、８チャンネルのモノラル信号）を送信可能なチャンネルに対して割り当てられたＣＨマッピング情報の例を示している。図５Ａ及び図５Ｂでは、図から明らかなように、１つのチャンネルに対して２つのモノラル信号に対応可能な枠が設けられており、合計８種類のオーディオ信号の種別が規定されている。
【０１１４】
本実施形態に係るオーディオ信号送信装置１０では、図５Ａに示すようなＣＨマッピング情報と、図５Ｂに示すようなＣＨマッピング情報の２種類のＣＨマッピング情報を生成することが可能である。
【０１１５】
図５Ａに示したＣＨマッピング情報は、チャンネル１に対して１組のメインチャンネルが設定されており、チャンネル２〜チャンネル４には、メインチャンネルに付随するサブチャンネルが設定されている。ここで、メインチャンネルとは、例えばＤＶＤの主音声に対応するようなオーディオ信号のソースに対応するものであり、サブチャンネルとは、例えばＤＶＤのサラウンド音声のように、メインチャンネルに付随するオーディオ信号を意味する。
【０１１６】
図５Ａに示した各サブチャンネルには、例えば、サブウーファー用のオーディオ信号や、センタースピーカ用のオーディオ信号や、サラウンドリアスピーカ用のオーディオ信号や、サラウンドバックスピーカ用のオーディオ信号やなど、様々なサブチャンネルが割当可能である。例えば、オーディオ信号受信装置２０として、センタースピーカ、サラウンドリアスピーカ、及びサラウンドバックスピーカが、オーディオ信号送信装置１０に接続されており、サブチャンネルとして、メインチャンネルと同一のコンテンツに対応する、センタースピーカ用のオーディオ信号、サラウンドリアスピーカ用のオーディオ信号、及びサラウンドバックスピーカ用のオーディオ信号のサブチャンネルを割り当てた場合を考える。この場合には、オーディオ信号送信装置１０は、メインチャンネルのオーディオ信号を出力し、オーディオ信号受信装置２０、すなわち、センタースピーカ、サラウンドリアスピーカ、及びサラウンドバックスピーカは、それぞれ対応するサブチャンネルのオーディオ信号を出力することとなる。
【０１１７】
図５Ａに示したように、メインチャンネルが割り当てられているチャンネルと、サブチャンネルが割り当てられているチャンネルとが混在するＣＨマッピング情報を、以下では「サラウンドモード」のＣＨマッピング情報と呼ぶ。
【０１１８】
他方、図５Ｂに示したＣＨマッピング情報は、４つのチャンネルそれぞれにメインチャンネルが割り当てられており、サブチャンネルが割り当てられているチャンネルは存在しない。これは、例えば、チャンネル１にはＣＤ音源が、チャンネル２にはＤＶＤ音源が、チャンネル３にはチューナの音源が、チャンネル４にはデジタル入力の音源がそれぞれ割り当てられているような場合に相当する。
【０１１９】
図５Ｂに示したように、複数のチャンネルそれぞれにメインチャンネルが割り当てられているＣＨマッピング情報を、以下では「マルチソースモード」のＣＨマッピング情報と呼ぶ。
【０１２０】
オーディオ信号送信装置１０が上記のサラウンドモードとマルチソースモードのＣＨマッピング情報のどちらを生成可能であるかは、オーディオ信号送信装置１０に依存する。従って、サラウンドモード専用のオーディオ信号送信装置１０が存在してもよく、マルチソースモード専用のオーディオ信号送信装置１０が存在してもよく、両方のモードに対応可能なオーディオ信号送信装置１０が存在してもよい。
【０１２１】
本実施形態に係るオーディオ信号受信装置２０は、ＣＨマッピング情報のいずれかのチャンネルに、オーディオ信号受信装置に割り振られている識別種別と一致するものが存在する場合に、一致するチャンネルに割り当てられたオーディオ信号を出力することが可能となる。
【０１２２】
すなわち、オーディオ信号受信装置２０に割り振られている識別種別が「サラウンドリアスピーカ」である場合には、オーディオ信号受信装置２０は、ＣＨマッピング情報に「サラウンドリアスピーカ」という種別が記載されているオーディオ信号を出力することが可能となる。
【０１２３】
ここで、本実施形態においては、オーディオ信号受信装置２０によるオーディオ信号を外部出力にするか、あるいは、ヘッドフォン出力にするかを、オーディオ信号送信装置１０が生成するＣＨマッピング情報を用いて制御している。すなわち、例えば、ＣＨマッピング情報におけるオーディオ信号の種別を、「サラウンドリアスピーカ」から「サラウンドリアヘッドフォン」に変更することにより、オーディオ信号受信装置２０であるサラウンドリアスピーカによる出力を、スピーカによる外部出力からヘッドフォンによる出力に変更させるように、オーディオ信号送信装置１０側から制御することができる。このような制御の詳細については後述する。
【０１２４】
（オーディオ信号受信装置２０の機能構成）
次に、図６を参照しながら、上述したハードウェア構成により実現される本実施形態に係るオーディオ信号受信装置２０の機能構成について詳細に説明する。なお、図６は、本実施形態に係るオーディオ信号受信装置２０の機能構成を示すブロック図である。
【０１２５】
図６に示すように、オーディオ信号受信装置２０は、接続情報送信部２５１と、接続管理情報受信部２５３と、オーディオ信号受信部２５５と、出力可否判断部２５７と、音声出力制御部２５９と、外部出力部２６１と、ヘッドフォン出力部２６３と、記憶部２６５と、外部機器接続制御部２６７と、外部機器接続状況通知部２６９と、を備える。
【０１２６】
接続情報送信部２５１は、例えば、ＣＰＵ、ＲＯＭ、ＲＡＭ、ＥＥＰＲＯＭ、外部機器通信部等から構成され、オーディオ信号受信装置２０とオーディオ信号送信装置１０との接続状態を変更するための接続情報を、オーディオ信号送信装置１０に対して送信する。ここで、接続状態を変更するための接続情報として、例えば、オーディオ信号送信装置１０に対するオーディオ信号受信装置２０の接続確立要求や、オーディオ信号送信装置１０に対するオーディオ信号受信装置２０の接続解除要求や、オーディオ信号受信装置２０の電源のＯＮ／ＯＦＦ状態を通知する情報等を挙げることができる。
【０１２７】
また、接続情報送信部２５１は、上記接続情報をオーディオ信号送信装置１０に送信する際に、オーディオ信号受信装置２０を特定する識別子等をあわせて送信してもよい。
【０１２８】
接続管理情報受信部２５３は、例えば、ＣＰＵ、ＲＯＭ、ＲＡＭ、ＥＥＰＲＯＭ、外部機器通信部等から構成され、オーディオ信号送信装置１０から送信されたＣＨマッピング情報や、オーディオ信号送信装置１０の種別に関する情報や、オーディオ信号送信装置１０から通知される接続確立通知や接続解除通知等を受信する。すなわち、接続管理情報受信部２５３は、本実施形態に係るチャンネルマッピング情報取得部として機能する。受信した接続管理情報は、後述する出力可否判断部２５７へと伝送される。また、接続管理情報受信部２５３は、受信した接続管理情報を、記憶部２６５に記録してもよい。
【０１２９】
オーディオ信号受信部２５５は、例えば、ＣＰＵ、ＲＯＭ、ＲＡＭ、ＥＥＰＲＯＭ、外部機器通信部等から構成され、通信可能な状態にあるオーディオ信号送信装置１０から送信されるオーディオ信号を受信する。オーディオ信号受信部２５５は、受信したオーディオ信号を、後述する出力可否判断部２５７へと出力する。また、オーディオ信号受信部２５５は、受信したオーディオ信号を、記憶部２６５に記録してもよい。
【０１３０】
出力可否判断部２５７は、例えば、ＣＰＵ、ＲＯＭ、ＲＡＭ、ＥＥＰＲＯＭ等から構成され、接続管理情報受信部２５３が受信したＣＨマッピング情報に基づいて、オーディオ信号受信部２５５が受信した複数のチャンネルからなるオーディオ信号の中に、オーディオ信号受信装置２０自身で出力可能なオーディオ信号が存在するか否かを判断する。判断に際しては、出力可否判断部２５７は、記憶部２６５等に記憶されているオーディオ信号受信装置２０自身の識別情報等を利用してもよい。
【０１３１】
この判断の結果、出力可能なオーディオ信号が存在する場合には、出力可否判断部２５７は、出力可能なオーディオ信号（例えば、スピーカ等の外部出力が可能なオーディオ信号や、ヘッドフォン出力が可能なオーディオ信号）を、後述する音声出力制御部２５９に伝送する。
【０１３２】
音声出力制御部２５９は、例えば、ＣＰＵ、ＲＯＭ、ＲＡＭ、ＥＥＰＲＯＭ等から構成され、後述する外部出力部２６１やヘッドフォン出力部２６３の出力制御を行う。具体的には、音声出力制御部２５９は、出力可否判断部２５７から伝送されたオーディオ信号の中に、外部出力が可能なオーディオ信号が含まれている場合には、このオーディオ信号を外部出力部２６１に伝送する。また、音声出力制御部２５９は、出力可否判断部２５７から伝送されたオーディオ信号の中に、ヘッドフォン出力が可能なオーディオ信号が含まれている場合には、このオーディオ信号をヘッドフォン出力部２６３に伝送する。このようにして、音声出力制御部２５９は、出力可否判断部２５７から伝送されたオーディオ信号の中に含まれている信号に応じて、オーディオ信号受信装置２０におけるオーディオ信号の出力を制御することができる。
【０１３３】
外部出力部２６１は、例えば、ＤＡ変換部、アンプ及びスピーカ等から構成され、音声出力制御部２５９から伝送された外部出力が可能なオーディオ信号を、オーディオ信号送信装置１０の外部へ出力する。
【０１３４】
ヘッドフォン出力部２６３は、例えば、オーディオ信号送信装置１０と有線又は無線により接続されたヘッドフォン等のオーディオ信号取得装置と接続され、音声出力制御部２５９から伝送されたヘッドフォン出力が可能なオーディオ信号を、当該オーディオ信号取得装置へ出力する。
【０１３５】
記憶部２６５には、例えば、ＣＨマッピング情報を構成するオーディオ信号の種別等が記録されているデータベースや、オーディオ信号送信装置１０に対して送信しうる各種送信情報や、本実施形態に係るオーディオ信号受信装置２０が利用する各種プログラムや処理方法等が格納される。
【０１３６】
さらに、記憶部２６５には、上記データベースやプログラム以外にも、オーディオ信号送信装置１０が、何らかの処理を行う際に保存する必要が生じた様々なパラメータや処理の途中経過等を、適宜記憶することが可能である。この記憶部２６５は、接続情報送信部２５１、接続管理情報受信部２５３、オーディオ信号受信部２５５、出力可否判断部２５７、音声出力制御部２５９、外部機器接続状況通知部２６９等のオーディオ信号受信装置２０を構成する各処理部が、自由に読み書きを行うことが可能である。
【０１３７】
外部機器接続制御部２６７は、例えば、ＣＰＵ、ＲＯＭ、ＲＡＭ、ＥＥＰＲＯＭ等から構成され、オーディオ信号受信装置２０に対して、更に外部接続機器が接続されたか否かを判断する。ここで、オーディオ信号受信装置２０に接続される外部接続機器は、オーディオ信号受信装置２０に設けられた外部機器接続端子に直接接続されてもよく、無線等を介してオーディオ信号受信装置２０にワイヤレス接続されてもよい。また、オーディオ信号受信装置２０に接続される外部接続機器としては、別のオーディオ信号受信装置２０であってもよく、例えばヘッドフォンやイヤホンのようなオーディオ信号取得装置であってもよい。
【０１３８】
オーディオ信号受信装置２０に新たに外部接続機器が接続された場合には、外部機器接続制御部２６７は、新たに外部機器が接続された旨を後述する外部機器接続状況通知部２６９へと通知し、外部機器接続状況通知部２６９は、外部接続機器が更に接続された旨をオーディオ信号送信装置１０に送信する。一方、外部機器接続制御部２６７は、接続されている外部機器の接続が解除された場合には、外部機器の接続が解除された旨を外部機器接続状況通知部２６９へと通知し、外部機器接続状況通知部２６９は、外部機器の接続が解除された旨をオーディオ信号送信装置１０に送信する。
【０１３９】
特に、本実施形態に係る外部機器接続制御部２６７は、外部機器としてヘッドフォンが接続された場合に、ヘッドフォンが接続され、オーディオ信号の出力がヘッドフォン出力となっている旨（ヘッドフォン機能が有効となっている旨）を示すヘッドフォン情報を、外部機器接続状況通知部２６９を介してオーディオ信号送信装置１０に送信する。また、外部機器接続制御部２６７は、接続されているヘッドフォンの接続が解除された場合に、ヘッドフォンの接続が解除され、オーディオ信号の出力がヘッドフォン出力から外部出力となった旨（ヘッドフォン機能が解除された旨）を示すヘッドフォン解除情報を、外部機器接続状況通知部２６９を介してオーディオ信号送信装置１０に送信する。
【０１４０】
また、外部機器接続制御部２６７は、外部機器の接続状況に関する情報（例えば、ヘッドフォン情報やヘッドフォン解除情報等）を、音声出力制御部２５９に伝送する。これにより、音声出力制御部２５９は、オーディオ信号受信装置２０のヘッドフォン機能が有効となった場合には、外部出力部２６１による出力を停止させるように制御でき、一方、オーディオ信号受信装置２０のヘッドフォン機能が解除された場合には、ヘッドフォン出力部２６３による出力を停止させるように制御することもできる。
【０１４１】
外部機器接続状況通知部２６９は、例えば、ＣＰＵ、ＲＯＭ、ＲＡＭ、ＥＥＰＲＯＭ、外部機器通信部等から構成され、外部機器接続制御部２６７から伝送された外部機器の接続状況に関する情報（例えば、ヘッドフォン情報やヘッドフォン解除情報等）を、オーディオ信号送信装置１０に対して通知する。すなわち、外部機器接続状況通知部２６９は、本実施形態に係るヘッドフォン信号送信部として機能する。このような外部機器の接続状況に関する情報をオーディオ信号送信装置１０へ通知することで、オーディオ信号送信装置１０は、オーディオ信号受信装置２０における外部機器の接続状況を把握することが可能となる。
【０１４２】
ここで、オーディオ信号受信装置２０がワイヤレス接続可能なヘッドフォンのような機器である場合には、外部出力部２６１は設けられておらず、また、外部機器接続制御部２６７も設けられている必要はない。この場合には、オーディオ信号受信装置２０は、常にヘッドフォン出力部２６３によるヘッドフォン出力となる。従って、外部機器接続状況通知部２６９は、例えば、接続情報送信部２５１が、オーディオ信号送信装置１０に対して接続要求を送信する際に、ヘッドフォン情報を送信してもよい。
【０１４３】
なお、本実施形態に係るオーディオ信号受信装置２０では、オーディオ信号送信装置１０から送信されるオーディオ信号の受信や、オーディオ信号送信装置１０との双方向通信は、無線伝送により行われてもよく、有線伝送により行われてもよいが、無線伝送により行われることが好ましい。
【０１４４】
以上、本実施形態に係るオーディオ信号受信装置２０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【０１４５】
（オーディオ信号受信装置の接続処理）
続いて、図７を参照しながら、オーディオ信号送信装置１０へのオーディオ信号受信装置２０の接続処理について詳細に説明する。図７は、本実施形態に係るオーディオ信号受信装置の接続処理の流れを示すフローチャートである。
【０１４６】
オーディオ信号送信装置１０の電源がユーザによってＯＮに設定されると（ステップＳ１０１）、オーディオ信号送信装置１０は、自身に備えられているオーディオ信号出力部を介して音源の出力を開始する（ステップＳ１０３）。
【０１４７】
ある時点で、オーディオ信号受信装置２０の電源がユーザによってＯＮに設定されると（ステップＳ１０５）、オーディオ信号受信装置２０は、記憶部２６５等を参照しながら、接続情報送信部２５１を介して受信装置種別（例えば、サラウンドモードのＣＨマッピング情報を必要とする装置（サラウンドアンプ、スピーカー）なのか、マルチソースモードのＣＨマッピング情報を必要とする装置なのか等）をオーディオ信号送信装置１０へ通知する（ステップＳ１０７）。
【０１４８】
オーディオ信号送信装置１０では、接続状況管理部１６１が、オーディオ信号受信装置２０からの受信装置種別通知を受信する。次いで、接続状況管理部１６１は、オーディオ信号受信装置２０がオーディオ信号送信装置１０に対して接続可能な装置であることを判断し、ＣＨマッピング情報生成部１６５では、新たなＣＨマッピング情報が生成される（ステップＳ１０９）。
【０１４９】
次に、オーディオ信号受信装置２０は、オーディオ信号送信装置１０に対して、オーディオ信号送信装置１０の種別（例えば、サラウンドモードのＣＨマッピング情報を許容する装置なのか、マルチソースモードのＣＨマッピング情報を許容する装置なのか等）と、オーディオ信号送信装置１０が現在使用しているＣＨマッピング情報の取得要求を通知する（ステップＳ１１１）。
【０１５０】
オーディオ信号送信装置１０の接続状況管理部１６１は、上記の取得要求を受信すると、接続管理情報送信部１６７が、送信装置１０の種別とＣＨマッピング情報とをオーディオ信号受信装置２０に送信する（ステップＳ１１３）。
【０１５１】
送信装置１０の種別及びＣＨマッピング情報を受信したオーディオ信号受信装置２０は、次に、オーディオ信号送信装置１０への接続確立要求と、再生を希望するチャンネルを、オーディオ信号送信装置１０へと通知する（ステップＳ１１５）。
【０１５２】
オーディオ信号受信装置２０からの接続確立要求を受信したオーディオ信号送信装置１０では、接続状況管理部１６１において接続が確立しているオーディオ信号受信装置２０の台数を更新するとともに（ステップＳ１１７）、接続を許可する旨の通知（接続確立通知）をオーディオ信号受信装置２０に通知する（ステップＳ１１９）。
【０１５３】
オーディオ信号送信装置１０との接続が確立したオーディオ信号受信装置２０では、再生可能音源を選択して、オーディオ信号の再生を行う（ステップＳ１２１）。
【０１５４】
以上説明したような手順にて、オーディオ信号受信装置２０はオーディオ信号送信装置１０に接続される。本実施形態に係る接続処理では、オーディオ信号受信装置２０は、ユーザからの操作を待つことなく、電源の投入とともにオーディオ信号送信装置１０への接続処理を開始するため、オーディオ信号受信装置２０のユーザは、容易にオーディオ信号送信装置１０との接続を行うことが可能となる。
【０１５５】
（オーディオ信号送信装置の接続確認処理）
次に、図８を参照しながら、オーディオ信号送信装置１０が実施するオーディオ信号受信装置２０の接続確認処理について詳細に説明する。図８は、本実施形態に係るオーディオ信号送信装置１０が実施する接続確認処理の流れを示すフローチャートである。
【０１５６】
オーディオ信号送信装置１０は、上述のように、所定の間隔でオーディオ信号受信装置２０に対して接続確認を行い、オーディオ信号受信装置２０との接続を維持するか否かを判定する。以下では、この接続確認処理について詳細に説明する。なお、以下の説明においては、オーディオ信号送信装置１０には、２台のオーディオ信号受信装置２０Ａ、２０Ｂがそれぞれ接続されているものとする。
【０１５７】
オーディオ信号送信装置１０の接続状況管理部１６１は、接続しているオーディオ信号受信装置２０Ａ、２０Ｂに対して、その稼動状態を確認するための稼動状態確認信号を送信する（ステップＳ２０１）。稼動状態確認信号を受信したオーディオ信号受信装置２０Ａ、２０Ｂでは、受信した稼動状態確認信号に対する返信を行って、接続している旨を通知する（ステップＳ２０３、Ｓ２０５）。
【０１５８】
オーディオ信号送信装置１０では、オーディオ信号受信装置２０からの返信を受信すると、接続状況を維持する処理を行うため、接続状況管理部１６１では、接続状況の変更は行われず、ＣＨマッピング情報生成部１６５においても、新たなＣＨマッピング情報の生成も行われない。
【０１５９】
ここで、ある時点に、オーディオ信号受信装置２０Ｂに供給されている電源が遮断され（ステップＳ２０７）、オーディオ信号受信装置２０Ｂが電源ＯＦＦになってしまった場合を考える。
【０１６０】
オーディオ信号送信装置１０は、前回稼動状態確認信号を送信した時点（図８においては、ステップＳ２０１の時点）から所定の時間（例えば、１分程度）が経過すると、次の稼動状態確認信号を送信して、オーディオ信号受信装置２０Ａ、２０Ｂの接続確認を行う（ステップＳ２０９）。
【０１６１】
この場合、オーディオ信号受信装置２０Ａからは接続通知の返信がなされる（ステップＳ２１１）が、電源が遮断され電源ＯＦＦとなっているオーディオ信号受信装置２０Ｂからは返信がなされない。
【０１６２】
オーディオ信号送信装置１０では、前回の確認時に接続関係が維持されていたオーディオ信号受信装置２０Ｂからの返信がなかったことを受けて、オーディオ信号受信装置２０Ｂとの接続を解消し、接続状況管理部１６１は、接続状態にあるオーディオ信号受信装置の台数を更新する（ステップＳ２１３）。
【０１６３】
その後、オーディオ信号受信装置２０Ａのユーザにより正式な手続きを経て電源がＯＦＦにされると（ステップＳ２１５）、オーディオ信号受信装置２０Ａは、シャットダウン処理の一環として、オーディオ信号送信装置１０に対して接続情報送信部２５１から接続解除通知が送信され（ステップＳ２１７）、オーディオ信号受信装置２０Ａの電源がＯＦＦとなる。
【０１６４】
オーディオ信号送信装置１０では、オーディオ信号受信装置２０Ａからの接続解除通知を受けて、オーディオ信号受信装置２０Ａとの接続を解消し、接続状況管理部１６１は、接続状態にあるオーディオ信号受信装置の台数を更新する（ステップＳ２１９）。
【０１６５】
本実施形態に係るオーディオ信号伝送システム１では、かかる処理を所定の時間間隔ごとに自動で行っているため、オーディオ信号送信装置１０とオーディオ信号受信装置２０との接続の維持や接続解除を自動的に処理することが可能となる。
【０１６６】
（チャンネルマッピング情報の変更）
続いて、図９Ａ〜図９Ｄを参照しながら、本実施形態に係るオーディオ信号伝送システム１におけるチャンネルマッピング情報の変更について詳細に説明する。図９Ａ〜図９Ｄは、本実施形態に係るチャンネルマッピング情報の一例を説明するための説明図である。
【０１６７】
図９Ａに示したＣＨマッピング情報は、「サラウンドモード」におけるＣＨマッピング情報であり、このＣＨマッピング情報に基づいてオーディオ信号受信装置２０にオーディオ信号が送信されているものとする。
【０１６８】
この際、例えばオーディオ信号受信装置２０に有線又は無線接続によりヘッドフォンが接続されたとすると、オーディオ信号受信装置２０の外部機器接続制御部２６７は、ヘッドフォンが接続された旨を外部機器接続状況通知部２６９に伝送する。この伝送を受けて、外部機器接続状況通知部２６９は、オーディオ信号送信装置１０に対して、オーディオ信号受信装置２０にヘッドフォンが接続された旨（ヘッドフォン情報）を送信する。オーディオ信号送信装置１０では、ヘッドフォンが接続されたことによりオーディオ信号受信装置２０のオーディオ信号出力状況が変化した旨（ヘッドフォン情報）を受けて、接続状況管理部１６１は接続状況を更新し、ＣＨマッピング情報生成部１６５は、図９Ｂに示したような新たなＣＨマッピング情報を生成する。
【０１６９】
図９Ｂは、オーディオ信号受信装置２０であるサラウンドリアスピーカにヘッドフォンが装着された場合に新たに作成されるＣＨマッピング情報の一例である。図９Ａ及び図９Ｂを比較して明らかなように、図９Ａにおいてチャンネル２に割り当てられていた「サラウンドリア（Ｌ）」及び「サラウンドリア（Ｒ）」が、図９Ｂではそれぞれ「サラウンドリアヘッドフォン（Ｌ）」及び「サラウンドリアヘッドフォン（Ｒ）」に変更されている。このように、本実施形態に係るオーディオ信号伝送システム１においては、オーディオ信号受信装置２０に新たな外部接続機器が接続されると、オーディオ信号送信装置１０においてＣＨマッピング情報が自動的に変更される。
【０１７０】
また、図９Ｃは、図９Ｂの場合から、さらに、オーディオ信号送信装置１０に、オーディオ信号受信装置２０であるサラウンドバックスピーカが接続された場合に新たに作成されるＣＨマッピング情報の一例である。図９Ｂ及び図９Ｃを比較して明らかなように、図９Ｂにおいてチャンネル３に割り当てられていた「サラウンバック（Ｌ）」及び「サラウンドバック（Ｒ）」が、図９Ｃではそれぞれ「サラウンドバックヘッドフォン（Ｌ）」及び「サラウンドバックヘッドフォン（Ｒ）」に変更されている。
【０１７１】
この場合は、サラウンドリアスピーカにヘッドフォンが接続されているため、同じ空間（例えば、同じ部屋）に配置されているサラウンドバックスピーカから外部出力されないようにする必要がある。そこで、音声出力制御部１６３により制御されたＣＨマッピング情報生成部１６５は、サラウンドバックスピーカにヘッドフォンが接続されているか否かに関わらず、サラウンドバックスピーカ用のオーディオ信号を、ヘッドフォン出力用のオーディオ信号に変更する。このように、ＣＨマッピング情報を変更することにより、このＣＨマッピング情報をオーディオ信号送信装置１０から受信したサラウンドバックスピーカは、外部出力ができないように制御される。また、新たにサラウンドバックスピーカにヘッドフォンが接続された場合には、サラウンドバックスピーカは、このＣＨマッピング情報に基づき、ヘッドフォン出力用のオーディオ信号をヘッドフォンにより自動的に出力することができる。
【０１７２】
なお、ＣＨマッピング情報生成部１６５は、図９ＣのようなＣＨマッピング情報を、サラウンドリアスピーカにヘッドフォンが装着された時点で作成してもよい。これにより、サラウンドリアスピーカにヘッドフォンが装着される前に、サラウンドバックスピーカが接続されていた場合は勿論のこと、新たにサラウンドバックスピーカが接続された場合でも、サラウンドバックスピーカによる外部出力は自動的に停止され、サラウンドバックスピーカによるヘッドフォン出力が自動的に開始される。
【０１７３】
また、図９Ｄは、図９Ｃの場合から、新たにサラウンドリアスピーカの接続が解除された場合に新たに作成されるＣＨマッピング情報の一例である。図９Ｃ及び図９Ｄを比較して明らかなように、図９Ｃにおいてチャンネル２に割り当てられていた「サラウンドリアヘッドフォン（Ｌ）」及び「サラウンドリアヘッドフォン（Ｒ）」が、図９Ｄではそれぞれ「サラウンドリア（Ｌ）」及び「サラウンドリア（Ｒ）」に変更されている。
【０１７４】
この場合、サラウンドリアスピーカは、オーディオ信号送信装置１０との接続が解除されたため、サラウンドスピーカからオーディオ信号が外部出力されることはない。従って、ヘッドフォン出力用のオーディオ信号から、外部出力用のオーディオ信号に変更しても問題はない。ただし、その後、再度、サラウンドリアスピーカにヘッドフォンが接続される可能性もあるので、ＣＨマッピング情報生成部１６５は、図９ＤのようなＣＨマッピング情報に変更しなくてもよい。また、チャンネル２を、他のソースとして有効利用するために、未使用に変更してもよい。
【０１７５】
また、上述の場合以外にも、例えば、オーディオ信号受信装置２０のユーザが、キー操作部２１１を介して、出力されているオーディオ信号の変更を要求した場合や、オーディオ信号受信装置２０のユーザが、オーディオ信号送信装置１０の種別を「サラウンドモード」から「マルチソースモード」へ変更するように要求した場合や、接続されているオーディオ信号受信装置２０の種別が変更になった場合（例えば、サラウンドモードのＣＨマッピング情報を必要とする装置（サラウンドアンプ、スピーカ）から、マルチソースモードのＣＨマッピング情報を必要とする装置に変更になった場合等）にも、ＣＨマッピング情報が変更される。
【０１７６】
（チャンネルマッピング情報の変更処理）
続いて、図１０を参照しながら、本実施形態に係るチャンネルマッピング情報の変更処理について、オーディオ信号受信装置２０にヘッドフォンが装着された場合を例にとって詳細に説明する。図１０は、本実施形態に係るオーディオ信号伝送システムにおけるチャンネルマッピング情報の変更処理の一例を示すフローチャートである。
【０１７７】
オーディオ信号受信装置２０にヘッドフォンが接続されると（ステップＳ３０１）、オーディオ信号受信装置２０は、外部機器接続制御部２６７及び外部機器接続状況通知部２６９を介して、オーディオ信号送信装置１０にヘッドフォン情報の通知を送信する（ステップＳ３０３）。
【０１７８】
オーディオ信号送信装置１０では、この通知を受信すると、オーディオ信号送信装置１０の外部への音声出力を停止するとともに（ステップＳ３０５）、ＣＨマッピング情報生成部１６５によって、ヘッドフォン用音源を含むＣＨマッピングにＣＨマッピング情報を変更する（ステップＳ３０７）。続いて、オーディオ信号送信装置１０の接続状況管理部１６１は、ヘッドフォンが接続されたオーディオ信号受信装置２０の台数を更新し（ステップＳ３０９）、オーディオ信号送信装置１０に接続されているすべてのオーディオ信号受信装置２０に対して、ヘッドフォンが接続されたことを通知する（ステップＳ３１１）。次に、オーディオ信号送信装置１０は、変更されたＣＨマッピング情報を、オーディオ信号受信装置２０に通知する（ステップＳ３１３）。
【０１７９】
オーディオ信号受信装置２０では、新たなＣＨマッピング情報を受信して、ＣＨマッピング情報の中からヘッドフォン音源を選択し、接続されているヘッドフォンから音声を出力することとなる（ステップＳ３１５）。
【０１８０】
以上説明したように、本実施形態に係るオーディオ信号伝送システムにおいては、オーディオ信号送信装置とオーディオ信号受信装置との間で、ヘッドフォンの装着や、オーディオ信号受信装置自身の変更や、再生すべきオーディオソースが変更された場合等の所定のイベントを共有することで、送信装置と受信装置のいずれか一方を操作した場合であっても、操作されていない装置においても同様の処理結果を得ることができる。
【０１８１】
また、オーディオ信号受信装置は、オーディオ信号受信装置側で発生した所定のイベントに対応する処理をオーディオ信号送信装置側へ依頼することにより、オーディオ信号受信装置が行う処理を軽減することが可能となる。
【０１８２】
特に、本実施形態に係るオーディオ信号伝送システムにおいては、以下に詳細に説明するが、一のオーディオ信号受信装置において行われたヘッドフォンの装着等の操作に伴って、オーディオ信号送信装置や他のオーディオ信号受信装置における音声出力を適切に制御することができる。
【０１８３】
（音声出力制御処理のフロー）
以下に、図１１を参照しながら、本実施形態に係るオーディオ信号伝送システムにおける音声出力制御処理について、２つのオーディオ信号受信装置２０Ａ、２０Ｂにヘッドフォンが装着及び脱着された場合を例にとって詳細に説明する。なお、図１１は、本実施形態に係るオーディオ信号伝送システムにおける音声出力制御処理の一例を示すフローチャートである。
【０１８４】
オーディオ信号受信装置２０Ａにヘッドフォンが接続されると（Ｓ４０１）、オーディオ信号受信装置２０Ａは、外部機器接続制御部２６７及び外部機器接続状況通知部２６９を介して、オーディオ信号送信装置１０にヘッドフォン情報の通知を送信する（ステップＳ４０３）。
【０１８５】
オーディオ信号送信装置１０では、この通知を受信すると、オーディオ信号送信装置１０の外部への音声出力を停止する（ステップＳ４０５）。併せて、オーディオ信号送信装置１０では、ＣＨマッピング情報生成部１６５によって、ヘッドフォン用音源を含むＣＨマッピングにＣＨマッピング情報を変更する。続いて、オーディオ信号送信装置１０の接続状況管理部１６１は、ヘッドフォンが接続されたオーディオ信号受信装置２０の台数を更新し、オーディオ信号送信装置１０に接続されているすべてのオーディオ信号受信装置２０に対して、ヘッドフォンが接続されたことを通知する。ただし、このヘッドフォンが接続されたことの通知は、本実施形態では、オーディオ信号送信装置１０が、ヘッドフォン出力用のオーディオ信号が割り当てられて変更されたチャンネルマッピング情報を、オーディオ信号受信装置２０Ａ、２０Ｂに送信することにより行われる。これにより、オーディオ信号送信装置１０に接続されている全てのオーディオ信号送信装置２０Ａ、２０Ｂが変更されたチャンネルマッピング情報を取得し、オーディオ信号受信装置２０Ａ、２０Ｂは、変更されたチャンネルマッピングに従った音声出力を行うことにより、自動的に、外部出力を停止し、ヘッドフォン出力に切り替える（外部音声出力をミューティングする）ことができる。
【０１８６】
次に、オーディオ信号送信装置１０は、変更されたＣＨマッピング情報を、オーディオ信号送信装置１０に接続中の全てのオーディオ信号受信装置２０Ａ、２０Ｂに通知する。図１１では、以上の処理全体（図１０のステップＳ３０７〜Ｓ３１３に対応する処理）を「ＣＨマッピング変更／通知処理」として示している。
【０１８７】
オーディオ信号受信装置２０Ａでは、新たなＣＨマッピング情報を受信して、ＣＨマッピング情報の中からヘッドフォン音源を選択し、接続されているヘッドフォンから音声を出力することとなる（ステップＳ４０９）。
【０１８８】
このような接続状況において、オーディオ信号受信装置２０Ｂにヘッドフォンが接続されると（Ｓ４１１）、オーディオ信号受信装置２０Ｂは、外部機器接続制御部２６７及び外部機器接続状況通知部２６９を介して、オーディオ信号送信装置１０にヘッドフォン情報の通知を送信する（ステップＳ４１３）。
【０１８９】
オーディオ信号送信装置１０では、この通知を受信すると、上述したＣＨマッピング変更／通知処理を行う（Ｓ４１５）。
【０１９０】
オーディオ信号受信装置２０Ｂでは、新たなＣＨマッピング情報を受信して、ＣＨマッピング情報の中からヘッドフォン音源を選択し、接続されているヘッドフォンから音声を出力することとなる（ステップＳ４１７）。
【０１９１】
このような接続状況において、オーディオ信号受信装置２０Ｂからヘッドフォンの接続が解除されると（Ｓ４１９）、オーディオ信号受信装置２０Ｂは、外部機器接続制御部２６７及び外部機器接続状況通知部２６９を介して、オーディオ信号送信装置１０にヘッドフォン解除情報の通知を送信する（ステップＳ４２１）。
【０１９２】
オーディオ信号送信装置１０では、この通知を受信すると、接続状況管理部１６１は、ヘッドフォンが接続されているオーディオ信号受信装置２０の台数を更新し（Ｓ４２３：この例の場合は、１台減らす。）、さらに、ヘッドフォンが接続されているオーディオ信号受信装置２０の台数が０（ゼロ）でないか否かを判断する（Ｓ４２５）。この判断の結果、ヘッドフォンが接続されているオーディオ信号受信装置２０の台数が０（ゼロ）でないと判断された場合には（この例では、オーディオ信号受信装置２０Ａにヘッドフォンが接続されている。）、音声出力制御部１６３は、外部への音声出力を停止した状態を維持させるように制御する。
【０１９３】
さらに、このような接続状況において、オーディオ信号受信装置２０Ａからヘッドフォンの接続が解除されると（Ｓ４２７）、オーディオ信号受信装置２０Ａは、外部機器接続制御部２６７及び外部機器接続状況通知部２６９を介して、オーディオ信号送信装置１０にヘッドフォン解除情報の通知を送信する（ステップＳ４２９）。
【０１９４】
オーディオ信号送信装置１０では、この通知を受信すると、接続状況管理部１６１は、ヘッドフォンが接続されているオーディオ信号受信装置２０の台数を更新し（Ｓ４３１：この例の場合は、１台減らす。）、さらに、ヘッドフォンが接続されているオーディオ信号受信装置２０の台数が０（ゼロ）でないか否かを判断する（Ｓ４３３）。この判断の結果、ヘッドフォンが接続されているオーディオ信号受信装置２０の台数が０（ゼロ）であると判断された場合には（この例では、オーディオ信号受信装置２０Ａ及びオーディオ信号受信装置２０Ｂの双方でヘッドフォンの接続が解除されている。）、音声出力制御部１６３は、外部への音声出力を再開させるように制御する（Ｓ４３５）。
【０１９５】
なお、上記のように、ヘッドフォンが接続されているオーディオ信号受信装置２０の台数が０となり、オーディオ信号送信装置１０において外部への音声出力を再開された後に、オーディオ信号送信装置１０では、ＣＨマッピング情報生成部１６５によって、スピーカ等による外部出力用音源を含むＣＨマッピングにＣＨマッピング情報を変更してもよい。さらに、オーディオ信号送信装置１０は、オーディオ信号送信装置１０に接続されているすべてのオーディオ信号受信装置２０に対して、変更されたＣＨマッピング情報を通知してもよい。
【０１９６】
以上説明したように、本実施形態に係るオーディオ信号伝送システムにおいては、一のオーディオ信号受信装置（例えば、オーディオ信号受信装置２０Ａ又はオーディオ信号受信装置２０Ｂの一方）において行われたヘッドフォンの装着や脱着等の操作に伴って、オーディオ信号送信装置１０や他のオーディオ信号受信装置（例えば、オーディオ信号受信装置２０Ａ又はオーディオ信号受信装置２０Ｂの他方）における音声出力を適切に制御することができる。
【０１９７】
［第１変形例］
次に、本発明の第１の実施形態の第１変形例に係るオーディオ信号送信装置について、上述した第１の実施形態に係るオーディオ信号送信装置１０との違いを主に説明する。
【０１９８】
上述した第１の実施形態に係るオーディオ信号送信装置１０では、オーディオ信号送信部１５９からオーディオ信号を受信した外部接続機器であるオーディオ信号受信装置２０のうち、少なくとも１のオーディオ信号受信装置２０からヘッドフォン情報を受信した場合において、当該オーディオ信号受信装置２０及び他のオーディオ信号受信装置２０のオーディオ信号の出力制御が、ＣＨマッピング情報を変更することにより行われる。
【０１９９】
それに対して、この第１変形例に係るオーディオ信号送信装置では、オーディオ信号送信装置と通信可能な状態にある外部接続機器のそれぞれについて、オーディオ信号の外部出力を停止させる必要があるか否かを判断する。そして、この判断の結果に応じて、外部接続機器に対して、オーディオ信号の外部出力の停止を指示するミュート信号を送信する。
【０２００】
具体的には、第１変形例に係るオーディオ信号送信装置は、第１実施形態におけるＣＨマッピング情報生成部１６５の代わりに、出力可否判断部（図示せず。）と、ミュート信号送信部（図示せず。）と、を備える。
【０２０１】
出力可否判断部は、オーディオ信号送信装置と通信可能な状態にある外部接続機器のそれぞれについて、オーディオ信号の外部出力を停止させる必要があるか否かを、外部接続機器の出力可能なオーディオ信号の種別に応じて判断する。
【０２０２】
ミュート信号送信部は、出力可否判断部の判断に応じて、オーディオ信号送信装置と通信可能な状態にある外部接続機器に対して、オーディオ信号の外部出力の停止を指示するミュート信号を送信する。
【０２０３】
また、第１変形例に係るオーディオ信号送信装置の音声出力制御部は、出力可否判断部によりオーディオ信号の外部出力を停止させる必要があると判断された外部接続機器に対して、ミュート信号を送信させるようにミュート信号送信部を制御することができる。また、第１変形例に係るオーディオ信号送信装置の音声出力制御部は、出力可否判断部によりオーディオ信号の外部出力を停止させる必要がないと判断された外部接続機器に対して、ミュート信号を送信させないようにミュート信号送信部を制御することができる。
【０２０４】
［第２変形例］
次に、本発明の第１の実施形態の第２変形例に係るオーディオ信号送信装置について、上述した第１の実施形態に係るオーディオ信号送信装置１０との違いを主に説明する。
【０２０５】
上述した第１の実施形態に係るオーディオ信号送信装置１０では、オーディオ信号送信部１５９からオーディオ信号を受信した外部接続機器であるオーディオ信号受信装置２０のうち、少なくとも１のオーディオ信号受信装置２０からヘッドフォン情報を受信した場合において、当該オーディオ信号受信装置２０及び他のオーディオ信号受信装置２０のオーディオ信号の出力制御が、ＣＨマッピング情報を変更することにより行われる。
【０２０６】
それに対して、この第２変形例に係るオーディオ信号送信装置は、第１実施形態におけるＣＨマッピング情報生成部１６５の代わりに、オーディオ信号の外部出力の停止を指示するミュート信号を送信するミュート信号送信部を備えている。そして、第２変形例に係る音声出力制御部は、オーディオ信号受信装置に送信する複数のチャンネルからなるオーディオ信号のうちの、特定のチャンネルを介して送信されたオーディオ信号を外部出力している外部接続機器に対して、ミュート信号を送信させるようにミュート信号送信部を制御することができる。
【０２０７】
以上のように、第１変形例及び第２変形例では、オーディオ信号送信装置によるオーディオ信号受信装置におけるオーディオ信号の出力制御を、ＣＨマッピング情報によらず、ミュート信号を送信することにより行っている。そして、このミュート信号の送信先となるオーディオ信号受信装置を、第１変形例では、外部接続機器の出力可能なオーディオ信号の種別に応じて外部出力の停止の必要性があるか否かにより決定し、第２変形例では、外部出力を停止するチャンネルを指定することにより決定している。
【０２０８】
ただし、第１変形例及び第２変形例のいずれにおいても、オーディオ信号送信装置の音声出力制御部は、外部出力の停止のみしか制御できず、ヘッドフォン出力の開始を制御することはできない。このような観点から、第１変形例及び第２変形例に係るオーディオ信号送信装置よりも、上述した第１の実施形態に係るオーディオ信号送信装置１０の方が望ましい。
【０２０９】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【０２１０】
例えば、上述した実施形態においては、チャンネル数がステレオ４チャンネルである場合について説明したが、チャンネル数の個数は上述の場合に限定されるわけではなく、４チャンネル以上であってもよい。設定可能なチャンネル数は、オーディオ信号送信装置やオーディオ信号受信装置に設けられるＣＰＵやＤＳＰの処理能力に依存するため、これらのプロセッサの処理能力に応じてチャンネル数を変化させることが可能である。
【図面の簡単な説明】
【０２１１】
【図１】本発明の第１の実施形態に係るオーディオ信号伝送システムの全体構成を示す説明図である。
【図２】同実施形態に係るオーディオ信号送信装置のハードウェア構成を示すブロック図である。
【図３】同実施形態に係るオーディオ信号受信装置のハードウェア構成を示すブロック図である。
【図４】同実施形態に係るオーディオ信号送信装置の機能構成を示すブロック図である。
【図５Ａ】同実施形態に係るチャンネルマッピング情報の一例を説明するための説明図である。
【図５Ｂ】同実施形態に係るチャンネルマッピング情報の一例を説明するための説明図である。
【図６】同実施形態に係るオーディオ信号受信装置の機能構成を示すブロック図である。
【図７】同実施形態に係るオーディオ信号受信装置の接続処理の流れを示すフローチャートである。
【図８】同実施形態に係るオーディオ信号送信装置１０が実施する接続確認処理の流れを示すフローチャートである。
【図９Ａ】同実施形態に係るチャンネルマッピング情報の一例を説明するための説明図である。
【図９Ｂ】同実施形態に係るチャンネルマッピング情報の一例を説明するための説明図である。
【図９Ｃ】同実施形態に係るチャンネルマッピング情報の一例を説明するための説明図である。
【図９Ｄ】同実施形態に係るチャンネルマッピング情報の一例を説明するための説明図である。
【図１０】同実施形態に係るオーディオ信号伝送システムにおけるチャンネルマッピング情報の変更処理の一例を示すフローチャートである。
【図１１】同実施形態に係るオーディオ信号伝送システムにおける音声出力制御処理の一例を示すフローチャートである。
【符号の説明】
【０２１２】
１    オーディオ信号伝送システム
１０    オーディオ信号送信装置
１２    オーディオ信号出力装置
２０    オーディオ信号受信装置
１５１    送信オーディオ信号取得部
１５３    記憶部
１５５    外部出力部
１５７    ヘッドフォン出力部
１５９    オーディオ信号送信部
１６１    接続状況管理部
１６３    音声出力制御部
１６５    チャンネルマッピング情報生成部
１６７    接続管理情報送信部
２５１    接続情報送信部
２５３    接続管理情報受信部
２５５    オーディオ信号受信部
２５７    信号出力可否判定部
２５９    音声出力制御部
２６１    外部出力部
２６３    ヘッドフォン出力部
２６５    記憶部
２６７    外部機器接続制御部
２６９    外部機器接続状況通知部
【図１】
0005040528.tif 000002
【図２】
0005040528.tif 000003
【図３】
0005040528.tif 000004
【図４】
0005040528.tif 000005
【図５Ａ】
0005040528.tif 000006
【図５Ｂ】
0005040528.tif 000007
【図６】
0005040528.tif 000008
【図７】
0005040528.tif 000009
【図８】
0005040528.tif 000010
【図９Ａ】
0005040528.tif 000011
【図９Ｂ】
0005040528.tif 000012
【図９Ｃ】
0005040528.tif 000013
【図９Ｄ】
0005040528.tif 000014
【図１０】
0005040528.tif 000015
【図１１】
0005040528.tif 000016